(57)【特許請求の範囲】
【請求項１】
駆動源からの回転を入力する入力部と、
変速された回転を出力する出力部と、
三組の遊星ギヤと、
複数の回転要素間を一体的に連結する複数のメンバと、
入力部，出力部，メンバ及び三組の遊星ギヤの各回転要素間に配置され、選択的に断接する３つのクラッチと選択的に固定する２つのブレーキと、を備え、
前記３つのクラッチと２つのブレーキを適宜締結・解放することで、少なくとも前進６速・後退１速を得る変速制御手段を有する自動変速機用歯車変速装置であって、
前記三組の遊星ギヤのうち、一組の遊星ギヤを、入力回転を常時減速する減速装置とし、
残り二組の遊星ギヤのうち、一組の遊星ギヤを、２つのサンギヤと、該２つのサンギヤの各々と噛み合うピニオンと、前記２つのサンギヤ間に配置され、かつ、回転を入力又は出力するセンターメンバを有するキャリヤと、前記ピニオンに噛み合う１つのリングギヤと、を有するダブルサンギヤ型遊星ギヤとし、
前記減速装置である遊星ギヤを第１遊星ギヤ、前記ダブルサンギヤを有するダブルサンギヤ型遊星ギヤを第３遊星ギヤ、残りの遊星ギヤを第２遊星ギヤとしたとき、
前記第２遊星ギヤと前記第３遊星ギヤとは、第２遊星ギヤの回転メンバと第３遊星ギヤの回転メンバとを一体的に連結する連結メンバを含んで５つの回転メンバで構成される遊星ギヤセットであって、
前記第３遊星ギヤの一方のサンギヤを含み、該サンギヤを選択的に停止（固定）可能な第２ブレーキに連結する第１回転メンバと、
前記第３遊星ギヤの他方のサンギヤを含み、該サンギヤと前記第１遊星ギヤの、前記入力部より減速回転するメンバとを選択的に断接可能な第２クラッチに連結する第２回転メンバと、
前記連結メンバを含み、前記出力部に連結する第３回転メンバと、
前記第１遊星ギヤの前記入力部に連結するメンバとを選択的に断接可能な第３クラッチと選択的に停止（固定）可能な第１ブレーキとに連結する第４回転メンバと、
前記第１遊星ギヤの前記入力部より減速回転するメンバとを選択的に断接可能な第１クラッチに連結する第５回転メンバと、を有し、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項２】
駆動源からの回転を入力する入力部と、
変速された回転を出力する出力部と、
三組の遊星ギヤと、
複数の回転要素間を一体的に連結する複数のメンバと、
入力部，出力部，メンバ及び三組の遊星ギヤの各回転要素間に配置され、選択的に断接する３つのクラッチと選択的に固定する２つのブレーキと、を備え、
前記３つのクラッチと２つのブレーキを適宜締結・解放することで、少なくとも前進６速・後退１速を得る変速制御手段を有する自動変速機用歯車変速装置であって、
前記三組の遊星ギヤのうち、一組の遊星ギヤを、入力回転を常時増速する増速装置とし、
残り二組の遊星ギヤのうち、一組の遊星ギヤを、２つのサンギヤと、該２つのサンギヤの各々と噛み合うピニオンと、前記２つのサンギヤ間に配置され、かつ、回転を入力又は出力するセンターメンバを有するキャリヤと、前記ピニオンに噛み合う１つのリングギヤと、を有するダブルサンギヤ型遊星ギヤとし、
前記増速装置である遊星ギヤを第１遊星ギヤ、前記ダブルサンギヤを有するダブルサンギヤ型遊星ギヤを第３遊星ギヤ、残りの遊星ギヤを第２遊星ギヤとしたとき、
前記第２遊星ギヤと前記第３遊星ギヤとは、第２遊星ギヤの回転メンバと第３遊星ギヤの回転メンバとを一体的に連結する連結メンバを含んで５つの回転メンバで構成される遊星ギヤセットであって、
前記第３遊星ギヤの一方のサンギヤを含み、該サンギヤを選択的に停止（固定）可能な第２ブレーキに連結する第１回転メンバと、
前記第３遊星ギヤの他方のサンギヤを含み、該サンギヤと前記第１遊星ギヤの前記入力部に連結するメンバとを選択的に断接可能な第２クラッチに連結する第２回転メンバと、
前記連結メンバを含み、前記出力部に連結する第３回転メンバと、
前記第１遊星ギヤの前記入力部より増速回転するメンバとを選択的に断接可能な第３クラッチと選択的に停止（固定）可能な第１ブレーキとに連結する第４回転メンバと、
前記第１遊星ギヤの前記入力部に連結するメンバとを選択的に断接可能な第１クラッチに連結する第５回転メンバと、を有し、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項３】
第１サンギヤと、第１リングギヤと、両ギヤに噛み合う第１ピニオンを支持する第１キャリヤと、を有する減速装置である第１遊星ギヤと、
第２サンギヤと、第２リングギヤと、両ギヤに噛み合う第２ピニオンを支持する第２キャリヤと、を有するシングルピニオン型の第２遊星ギヤと、
２つの第３サンギヤ及び第４サンギヤと、両サンギヤの各々に噛み合う第３ピニオンを支持し、センターメンバを備える第３キャリヤと、前記第３ピニオンに噛み合う１つの第３リングギヤと、を有するダブルサンギヤ型の第３遊星ギヤと、
第１リングギヤに連結され駆動源からの回転を入力する入力部と、
第２キャリヤに連結され変速された回転を出力する出力部と、
第２サンギヤと第３サンギヤとを一体的に連結する第１連結メンバと、
第２キャリヤと第３リングギヤとを一体的に連結する第２連結メンバと、
第１キャリヤと第２リングギヤとを選択的に断接する第１クラッチと、
第１キャリヤと第２サンギヤとを選択的に断接する第２クラッチと、
入力部と第３キャリヤとを選択的に断接する第３クラッチと、
第３キャリヤの回転を選択的に停止させる第１ブレーキと、
第４サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項４】
第１サンギヤと、第１リングギヤと、両ギヤに噛み合う第１ピニオンを支持する第１キャリヤと、を有する減速装置である第１遊星ギヤと、
第２サンギヤと、第２リングギヤと、両ギヤに噛み合う第２ピニオンを支持する第２キャリヤと、を有するシングルピニオン型の第２遊星ギヤと、
２つの第３サンギヤ及び第４サンギヤと、該両サンギヤの各々に噛み合う第３ピニオンを支持し、センターメンバを備える第３キャリヤと、前記第３ピニオンに噛み合う１つの第３リングギヤと、を有するダブルサンギヤ型の第３遊星ギヤと、
第１リングギヤに連結され駆動源からの回転を入力する入力部と、
第２キャリヤに連結され変速された回転を出力する出力部と、
第２サンギヤと第３サンギヤとを一体的に連結する第１連結メンバと、
第２キャリヤと第３リングギヤとを一体的に連結する第２連結メンバと、
第１キャリヤと第２リングギヤとを選択的に断接する第１クラッチと、
第１キャリヤと第４サンギヤとを選択的に断接する第２クラッチと、
入力部と第３キャリヤとを選択的に断接する第３クラッチと、
第３キャリヤの回転を選択的に停止させる第１ブレーキと、
第２サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項５】
第１サンギヤと、第１リングギヤと、両ギヤに噛み合う第１ピニオンを支持する第１キャリヤと、を有する増速装置である第１遊星ギヤと、
第２サンギヤと、第２リングギヤと、両ギヤに噛み合う第２ピニオンを支持する第２キャリヤと、を有するシングルピニオン型の第２遊星ギヤと、
２つの第３サンギヤ及び第４サンギヤと、両サンギヤの各々に噛み合う第３ピニオンを支持し、センターメンバを備える第３キャリヤと、前記第３ピニオンに噛み合う１つの第３リングギヤと、を有するダブルサンギヤ型の第３遊星ギヤと、
第１キャリヤに連結され駆動源からの回転を入力する入力部と、
第２キャリヤに連結され変速された回転を出力する出力部と、
第２サンギヤと第３サンギヤとを一体的に連結する第１連結メンバと、
第２キャリヤと第３リングギヤとを一体的に連結する第２連結メンバと、
第１キャリヤと第２リングギヤとを選択的に断接する第１クラッチと、
第１キャリヤと第２サンギヤとを選択的に断接する第２クラッチと、
第１リングギヤと第３キャリヤとを選択的に断接する第３クラッチと、
第３キャリヤの回転を選択的に停止させる第１ブレーキと、
第４サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項６】
第１サンギヤと、第１リングギヤと、両ギヤに噛み合う第１ピニオンを支持する第１キャリヤと、を有する増速装置である第１遊星ギヤと、
第２サンギヤと、第２リングギヤと、両ギヤに噛み合う第２ピニオンを支持する第２キャリヤと、を有するシングルピニオン型の第２遊星ギヤと、
２つの第３サンギヤ及び第４サンギヤと、両サンギヤの各々に噛み合う第３ピニオンを支持し、センターメンバを備える第３キャリヤと、前記第３ピニオンに噛み合う１つの第３リングギヤと、を有するダブルサンギヤ型の第３遊星ギヤと、
第１キャリヤに連結され駆動源からの回転を入力する入力部と、
第２キャリヤに連結され変速された回転を出力する出力部と、
第２サンギヤと第３サンギヤとを一体的に連結する第１連結メンバと、
第２キャリヤと第３リングギヤとを一体的に連結する第２連結メンバと、
第１キャリヤと第２リングギヤとを選択的に断接する第１クラッチと、
第１キャリヤと第４サンギヤとを選択的に断接する第２クラッチと、
第１リングギヤと第３キャリヤとを選択的に断接する第３クラッチと、
第３キャリヤの回転を選択的に停止させる第１ブレーキと、
第２サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項７】
第１サンギヤと、第１リングギヤと、両ギヤに噛み合う第１ダブルピニオンを支持する第１キャリヤと、を有する減速装置であるダブルピニオン型の第１遊星ギヤと、
第２サンギヤと、第２リングギヤと、両ギヤに噛み合う第２ピニオンを支持する第２キャリヤと、を有するシングルピニオン型の第２遊星ギヤと、
２つの第３サンギヤ及び第４サンギヤと、両サンギヤの各々に噛み合う第３ピニオンを支持し、センターメンバを備える第３キャリヤと、前記第３ピニオンに噛み合う１つの第３リングギヤと、を有するダブルサンギヤ型の第３遊星ギヤと、
第１キャリヤに連結され駆動源からの回転を入力する入力部と、
第２キャリヤに連結され変速された回転を出力する出力部と、
第２サンギヤと第３サンギヤとを一体的に連結する第１連結メンバと、
第２キャリヤと第３リングギヤとを一体的に連結する第２連結メンバと、
第１リングギヤと第２リングギヤとを選択的に断接する第１クラッチと、
第１リングギヤと第２サンギヤとを選択的に断接する第２クラッチと、
入力部と第３キャリヤとを選択的に断接する第３クラッチと、
第３キャリヤの回転を選択的に停止させる第１ブレーキと、
第４サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項８】
第１サンギヤと、第１リングギヤと、両ギヤに噛み合う第１ダブルピニオンを支持する第１キャリヤと、を有する減速装置であるダブルピニオン型の第１遊星ギヤと、
２つの第２サンギヤ及び第４サンギヤと、両サンギヤの各々に噛み合う第２ピニオンを支持し、センターメンバを備える第２キャリヤと、前記第２ピニオンに噛み合う１つの第２リングギヤと、を有するダブルサンギヤ型の第２遊星ギヤと、
第３サンギヤと、第３リングギヤと、両ギヤに噛み合う第３ピニオンを支持する第３キャリヤと、を有するシングルピニオン型の第３遊星ギヤと、
第１キャリヤに連結され駆動源からの回転を入力する入力部と、
第２キャリヤに連結され変速された回転を出力する出力部と、
第２サンギヤと第３サンギヤとを一体的に連結する第１連結メンバと、
第２キャリヤと第３リングギヤとを一体的に連結する第２連結メンバと、
第１リングギヤと第２リングギヤとを選択的に断接する第１クラッチと、
第１リングギヤと第４サンギヤとを選択的に断接する第２クラッチと、
入力部と第３キャリヤとを選択的に断接する第３クラッチと、
第３キャリヤの回転を選択的に停止させる第１ブレーキと、
第３サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項９】
第１サンギヤと、第１リングギヤと、両ギヤに噛み合う第１ダブルピニオンを支持する第１キャリヤと、を有する増速装置であるダブルピニオン型の第１遊星ギヤと、
２つの第２サンギヤ及び第４サンギヤと、両サンギヤの各々に噛み合う第２ピニオンを支持し、センターメンバを備える第２キャリヤと、前記第２ピニオンに噛み合う１つの第２リングギヤと、を有するダブルサンギヤ型の第２遊星ギヤと、
第３サンギヤと、第３リングギヤと、両ギヤに噛み合う第３ピニオンを支持する第３キャリヤと、を有するシングルピニオン型の第３遊星ギヤと、
第１リングギヤに連結される入力部と、
第２キャリヤに連結される出力部と、
第２サンギヤと第３サンギヤとを一体的に連結する第１連結メンバと、
第２キャリヤと第３リングギヤとを一体的に連結する第２連結メンバと、
第１リングギヤと第２リングギヤとを選択的に断接する第１クラッチと、
第１リングギヤと第４サンギヤとを選択的に断接する第２クラッチと、
第１キャリヤと第３キャリヤとを選択的に断接する第３クラッチと、
第３キャリヤの回転を選択的に停止させる第１ブレーキと、
第３サンギヤの回転を選択的に停止させる第２ブレーキと、
を備え、
前記第１クラッチと第１ブレーキの締結により１速、第１クラッチと第２ブレーキの締結により２速、第１クラッチと第２クラッチの締結により３速、第１クラッチと第３クラッチの締結により４速、第２クラッチと第３クラッチの締結により５速、第３クラッチと第２ブレーキの締結により６速、第２クラッチと第１ブレーキの締結により後退速とし、前進６速で後退１速を得る変速制御手段を設けたことを特徴とする自動変速機用歯車変速装置。
【請求項１０】
請求項１に記載の自動変速機用歯車変速装置において、
前記減速装置の一組の遊星ギヤは、シングルピニオン型であることを特徴とする自動変速機用歯車変速装置。
【請求項１１】
請求項１に記載の自動変速機用歯車変速装置において、
前記減速装置の一組の遊星ギヤは、ダブルピニオン型であることを特徴とする自動変速機用歯車変速装置。
【請求項１２】
請求項２に記載の自動変速機用歯車変速装置において、
前記増速装置の一組の遊星ギヤは、シングルピニオン型であることを特徴とする自動変速機用歯車変速装置。
【請求項１３】
請求項２に記載の自動変速機用歯車変速装置において、
前記増速装置の一組の遊星ギヤは、ダブルピニオン型であることを特徴とする自動変速機用歯車変速装置。
【請求項１４】
請求項１ないし１３に記載の自動変速機用歯車変速装置において、
前記ダブルサンギヤ型遊星ギヤを、異なる歯数を有する２つのサンギヤと、該２つのサンギヤの各々に噛み合う歯数の異なる段付きピニオンと、を有する遊星ギヤとしたことを特徴とする自動変速機用歯車変速装置。
【請求項１５】
請求項１ないし１３に記載の自動変速機用歯車変速装置において、
前記ダブルサンギヤ型遊星ギヤを、同じ歯数を有する２つのサンギヤと、該２つのサンギヤの各々に噛み合うピニオンと、を有する遊星ギヤとしたことを特徴とする自動変速機用歯車変速装置。
【発明の詳細な説明】
【０００１】
【発明の属する技術分野】
本発明は、変速段の多段化要求がある車両の変速装置として有用であり、特に、駆動源としてエンジンやモータが搭載された自動車の駆動源出力軸に接続される自動変速機の歯車変速部に用いるのに適している自動変速機用歯車変速装置の技術分野に属する。
【０００２】
【従来の技術】
従来、入力軸と、一組のシングルピニオン型遊星ギヤと、二組のシングルピニオン型遊星ギヤを組み合わせたシンプソン型遊星歯車列と、３つのクラッチと、２つのブレーキと、出力軸とを有して構成され、変速要素である３つのクラッチと２つのブレーキを適宜締結・解放することで、前進６速・後退１速を得る自動変速機用歯車変速装置としては、例えば、特開平４−２１９５５３号公報の図７に記載のものが提案されている。
【０００３】
この一組のシングルピニオン型遊星ギヤとシンプソン型遊星歯車列による歯車変速装置は、下記に列挙する特徴を有する。
(i)シンプソン型遊星歯車列の最大トルクとなる１速でのトルク伝達の流れが、全メンバを介して分担するので、強度的に有利である。
(ii)シンプソン型遊星歯車列がリングギヤ入力であるため、サンギヤ入力に比較して、接線力が半分程度になり、歯車強度や歯車寿命やキャリヤ剛性等の点で有利である。
(iii)オーバードライブの変速段を得るには、シンプソン型遊星歯車列へのキャリヤ入力が必要であるが、入力軸と出力軸とを同軸に設けると、回転メンバが３メンバに限られるシングルピニオン型の遊星ギヤではキャリヤへの入力経路が不成立となる。
よって、キャリヤへの入力経路を成立させるため、入力軸と出力軸とを異なる軸線上に平行軸配置で設ける必要があり、その結果、自動変速機の大型化を招く。
【０００４】
そこで、前記(iii)の問題点を解消するために、シンプソン型遊星歯車列に代えて、ラビニオ型複合遊星歯車列（ダブルピニオンにそれぞれサンギヤを噛み合わせた複合遊星歯車列）を用いた歯車変速装置が、特開平４−２１９５５３号公報の図１３，図１４，図１５に提案されている。
【０００５】
しかし、このラビニオ型複合遊星歯車列を採用した歯車変速装置は、下記に列挙する問題点を有する。
(v)歯車列の最大トルク（１速）を、ラビニオ型複合遊星歯車列の片側のダブルピニオン型遊星ギヤで受け持つので、強度的に不利である。
(vi)減速装置としての一組のシングルピニオン型遊星ギヤで増大したトルクを、ラビニオ型複合遊星歯車列のサンギヤから入力するため、リングギヤ入力に比較して、接線力が大きくなり、歯車強度や歯車寿命やキャリヤ剛性等の点で不利である。
(vii)１速におけるラビニオ型複合遊星歯車列の強度（歯車強度や歯車寿命）の確保やキャリヤ剛性等の向上と、が共に要求されることで、ラビニオ型複合遊星歯車列を大型化する必要があり、この結果、自動変速機の大型化を招く。
(viii)変速段によってはラビニオ型複合遊星歯車列にてトルク循環が発生し、トルク循環が発生する変速段では、伝達効率の低下により、燃費が悪化する。
【０００６】
すなわち、一組のシングルピニオン型遊星ギヤとラビニオ型複合遊星歯車列との組み合わせによる歯車変速装置は、一組のシングルピニオン型遊星ギヤとシンプソン型遊星歯車列による歯車変速装置の長所である上記(i)，(ii)が何れも損なわれるし、上記(iii)についてもラビニオ型複合遊星歯車列が大型化するという別の理由により、結果的に自動変速機の大型化を避けることができない。
【０００７】
本発明は、上記課題に着目してなされたもので、歯車列の強度的有利性（車強度や歯車寿命等）と、燃費の向上と、入力部と出力部の同軸配置と、自動変速機の小型化と、を併せて達成しながら、ラビニオ型複合遊星歯車列を用いる場合に比べてギヤ比の選択自由度を高めることができる自動変速機用歯車変速装置を提供することを目的とする。
【０００８】
【課題を解決するための手段】
本発明では、一組の遊星ギヤに組み合わせる歯車列として、ラビニオ型複合遊星歯車列を用いることなく、基本的に二組のシングルピニオン型遊星ギヤを組み合わせた歯車列を用い、３つのクラッチと２つのブレーキを適宜締結・解放することで、少なくとも前進６速・後退１速を得る変速制御手段を有する自動変速機用歯車変速装置において、
前記三組の遊星ギヤのうち、一組の遊星ギヤを、入力回転を常時減速する減速装置、又は、入力回転を常時増速する増速装置とし、
残り二組の遊星ギヤのうち、一組の遊星ギヤを、２つのサンギヤと、該２つのサンギヤの各々と噛み合うピニオンと、前記２つのサンギヤ間に配置され、かつ、回転を入力又は出力するセンターメンバを有するキャリヤと、前記ピニオンに噛み合う１つのリングギヤと、を有するダブルサンギヤ型遊星ギヤとした。
【０００９】
このダブルサンギヤ型遊星ギヤは、基本的なギヤ性能としてはシングルピニオン型遊星ギヤと同様であるが、（サンギヤから２つのメンバ）＋（リングギヤから１つのメンバ）＋（キャリヤから軸方向と径方向に２つのメンバ）＝５つのメンバというように、３つのメンバであるシングルピニオン型遊星ギヤに比べてメンバ数が多くなるという特徴を持つ。
【００１０】
よって、シングルピニオン型遊星ギヤとダブルサンギヤ型遊星ギヤとを組み合わせた歯車列を、「ラビニオ型複合遊星歯車列」や「シンプソン型遊星歯車列」とは区別するため、発明者名を引用して「イシマル型遊星歯車列」と命名する。
【００１１】
【発明の効果】
このように、一組の遊星ギヤと、基本性能はシンプソン型遊星歯車列と同様であるイシマル型遊星歯車列とを組み合わせた構成としたため、リングギヤ入力が可能であることによる遊星ギヤの強度的有利性と、１速のトルクフローが全メンバを介して分担可能であることによる遊星ギヤの歯車強度や歯車寿命等の有利性と、を達成することができる。
【００１２】
また、残り二組の遊星ギヤとしてイシマル型遊星歯車列を用い、ラビニオ型複合遊星歯車列を用いない構成としたため、トルク循環の無い高い伝達効率により、燃費の向上を達成することができる。
【００１３】
さらに、残り二組の遊星ギヤ（イシマル型遊星歯車列）のうち、一組の遊星ギヤとして、２つのサンギヤ間に配置されたセンターメンバを有するダブルサンギヤ型遊星ギヤを用いたため、キャリヤへの入力経路が成立し、ＦＲ車の自動変速機に適する入力軸と出力軸の同軸配置を達成することができる。
【００１４】
加えて、ラビニオ型複合遊星歯車列を用いない構成であると共に、入力部と出力部とが同軸配置による構成であるため、歯車変速装置がコンパクトとなり、自動変速機の小型化を達成することができる。
【００１５】
さらに加えて、ラビニオ型複合遊星歯車列はギヤ比（＝サンギヤ歯数／リングギヤ歯数）の設定に際し、一般的に適用可能なギヤ比範囲で、且つ、高速段になるほど段間比が小さいという条件を考慮した場合、二組の遊星ギヤのギヤ比を互いに独立に設定できるイシマル型遊星歯車列は、ラビニオ型複合遊星歯車列に比べ、適用できる変速比幅が拡大し、ギヤ比の選択自由度を高めることができる。
【００１６】
【発明の実施の形態】
以下、本発明の自動変速機用歯車変速装置を実現する第１実施例〜第１６実施例を、添付図面に基づいて説明する。
【００１７】
（第１実施例）
まず、構成を説明する。
【００１８】
第１実施例は、請求項１，３，１０，１５に記載の発明に対応する自動変速機用歯車変速装置で、図１は第１実施例の自動変速機用歯車変速装置を示すスケルトン図である。
【００１９】
図１において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【００２０】
第１実施例の自動変速機用歯車変速装置（減速シングルタイプ１という）は、図１の左端部に減速装置としてのシングルピニオン型の第１遊星ギヤＧ１を配置し、中央部にシングルピニオン型の第２遊星ギヤＧ２を配置し、右端部にダブルサンギヤ型の第３遊星ギヤＧ３を配置した例である。そして、前記第２遊星ギヤＧ２と第３遊星ギヤＧ３により、いわゆる、イシマル型遊星歯車列を構成している。
【００２１】
前記第１遊星ギヤＧ１は、第１サンギヤS1と、第１リングギヤR1と、両ギヤS1,R1に噛み合う第１ピニオンP1を支持する第１キャリヤPC1と、を有する減速装置としてのシングルピニオン型遊星ギヤである。
【００２２】
前記第２遊星ギヤＧ２は、第２サンギヤS2と、第２リングギヤR2と、両ギヤS2,R2に噛み合う第２ピニオンP2を支持する第２キャリヤPC2と、を有するシングルピニオン型遊星ギヤである。
【００２３】
前記第３遊星ギヤＧ３は、２つの第３サンギヤS3及び第４サンギヤS4と、第３及び第４サンギヤＳ３，Ｓ４の各々に噛み合う第３ピニオンP3と、この第３ピニオンP3を支持する軸方向の第３キャリヤPC3と、該第３キャリヤPC3に接続され、前記両サンギヤＳ３，Ｓ４の間に配置されるセンターメンバCMと、前記第３ピニオンP3に噛み合う１つの第３リングギヤR3と、を有するダブルサンギヤ型遊星ギヤである。
【００２４】
なお、前記センターメンバCMは、第３キャリヤPC3の円周上に隣接する複数の第３ピニオンP3との空間位置において、第３キャリヤPC3に結合されている。
【００２５】
前記入力軸Inputは、第１リングギヤR1に連結され、駆動源である図外のエンジンからの回転駆動力を、トルクコンバータ等を介して入力する。
【００２６】
前記出力ギヤOutputは、第２キャリヤPC2に連結され、出力回転駆動力を図外のファイナルギヤ等を介して駆動輪に伝達する。
【００２７】
前記第１連結メンバＭ１は、第２サンギヤS2と第３サンギヤS3とを一体的に連結するメンバである。
【００２８】
前記第２連結メンバＭ２は、第２キャリヤPC2と第３リングギヤR3とを一体的に連結するメンバである。
【００２９】
前記第１クラッチＣ１は、第１キャリヤPC1と第２リングギヤR2とを選択的に断接するクラッチである。
【００３０】
前記第２クラッチＣ２は、第１キャリヤPC1と第２サンギヤS2とを選択的に断接するクラッチである。
【００３１】
前記第３クラッチＣ３は、入力軸InputとセンターメンバCMとを選択的に断接するクラッチである。
【００３２】
前記第１ブレーキＢ１は、第３キャリヤPC3の回転を選択的に停止させるブレーキである。
【００３３】
前記第２ブレーキＢ２は、第４サンギヤS4の回転を選択的に停止させるブレーキである。
【００３４】
前記各クラッチＣ１，Ｃ２，Ｃ３及びブレーキＢ１，Ｂ２には、図２の締結作動表に示すように、各変速段にて締結圧（○印）や解放圧（無印）を作り出す図外の変速油圧制御装置（変速制御手段）が接続されている。なお、変速油圧制御装置としては、油圧制御タイプ，電子制御タイプ，油圧＋電子制御タイプ等が採用される。
【００３５】
次に、作用を説明する。
【００３６】
［変速作用］
図２は第１実施例の自動変速機用歯車変速装置での締結作動表を示す図、図３は第１実施例の自動変速機用歯車変速装置において各変速段におけるメンバの回転停止状態を示す共線図、図４〜図６は第１実施例の自動変速機用歯車変速装置の各変速段でのトルクフローを示す図である。図２において、太線は第１遊星ギヤＧ１の共線図、中線はイシマル遊星歯車列の共線図である。図４〜図６においてクラッチ・ブレーキ・メンバのトルク伝達経路は太線で示し、ギヤのトルク伝達経路はハッチングで示す。
【００３７】
〈１速〉
１速は、図２に示すように、第１クラッチＣ１と第１ブレーキＢ１の締結により得られる。
【００３８】
この１速では、第２遊星ギヤＧ２において、第１クラッチＣ１の締結により、第１遊星ギヤＧ１からの減速回転が第２リングギヤR2に入力される。
【００３９】
一方、第３遊星ギヤＧ３においては、第１ブレーキＢ１の締結により、第３キャリヤPC3がケースに固定されるため、第３リングギヤR3からの出力回転に対し、第３サンギヤS3の回転は、回転方向が逆方向の減速回転となる。そして、この第３サンギヤS3の回転は、第１連結メンバＭ１を介し、第２遊星ギヤＧ２の第２サンギヤS2に伝達される。
【００４０】
よって、第２遊星ギヤＧ２においては、第２リングギヤR2から正方向の減速回転が入力され、第２サンギヤS2から逆方向の減速回転が入力されることになり、第２リングギヤR2からの減速回転をさらに減速した回転が、第２キャリヤPC2から第２連結メンバＭ２を経過して出力ギヤOutputへ出力される。
【００４１】
すなわち、１速は、図３の共線図に示すように、第１遊星ギヤＧ１からの減速回転を第２リングギヤR2への入力回転とする第１クラッチＣ１の締結点と、第３キャリヤPC3の回転を停止する第１ブレーキＢ１の締結点とを結ぶ線にて規定され、入力軸Inputから入力された回転を減速して出力ギヤOutputから出力する。
【００４２】
この１速でのトルクフローは、図４（ａ）に示す通りであり、太線で示す第１クラッチＣ１と第１ブレーキＢ１と各メンバと、ハッチングで示す第１遊星ギヤＧ１と第２遊星ギヤＧ２と第３遊星ギヤＧ３（第４サンギヤS4を除く）にトルクが作用することになる。つまり、１速では、第１遊星ギヤＧ１と、イシマル型遊星歯車列を構成する第２遊星ギヤＧ２と第３遊星ギヤＧ３とがトルク伝達に関与する。
【００４３】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【００４４】
この２速では、第２遊星ギヤＧ２において、第１クラッチＣ１の締結により、第１遊星ギヤＧ１からの減速回転が第２リングギヤR2に入力される。
【００４５】
一方、第３遊星ギヤＧ３においては、第２ブレーキＢ２の締結により、第４サンギヤS4がケースに固定されるため、第３ピニオンP3により連結されている第３サンギヤS3が固定される。そして、第３サンギヤS3とは第１連結メンバＭ１を介して連結されている第２サンギヤS2がケースに固定される。
【００４６】
よって、第２遊星ギヤＧ２においては、第２リングギヤR2から正方向の減速回転が入力され、第２サンギヤS2が固定されることになり、第２リングギヤR2からの減速回転をさらに減速した回転が、第２キャリヤPC2から第２連結メンバＭ２を経過して出力ギヤOutputへ出力される。
【００４７】
すなわち、２速は、図３の共線図に示すように、第１遊星ギヤＧ１からの減速回転を第２リングギヤR2への入力回転とする第１クラッチＣ１の締結点と、第４サンギヤS4の回転を停止する第２ブレーキＢ２の締結点と、を結ぶ線にて規定され、入力軸Inputから入力された回転を減速（１速よりも高速）として出力ギヤOutputから出力する。
【００４８】
この２速でのトルクフローは、図４（ｂ）に示す通りであり、太線で示す第１クラッチＣ１と第２ブレーキＢ２と各メンバと、ハッチングで示す第１遊星ギヤＧ１及び第２遊星ギヤＧ２にトルクが作用することになる。なお、第３遊星ギヤＧ３については、固定である両サンギヤS3,S4の回りを、非拘束の第３ピニオンP3が第３リングギヤR3の出力回転に伴って公転するだけであり、回転メンバとして機能するだけで、トルク伝達には関与しない。
【００４９】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【００５０】
この３速では、第２遊星ギヤＧ２において、第１クラッチＣ１の締結により、第１遊星ギヤＧ１からの減速回転が第２リングギヤR2に入力される。同時に、第２クラッチＣ２の締結により、この減速回転が第２遊星ギヤＧ２の第２サンギヤS2に入力される。
【００５１】
よって、第２遊星ギヤＧ２においては、第２リングギヤR2と第２サンギヤS2とから同一の減速回転が入力されることで、両ギヤR2,S2と一体に回転する第２キャリヤPC2から第２連結メンバＭ２を経過して出力ギヤOutputへ減速回転（＝第１遊星ギヤＧ１の減速回転）が出力される。
【００５２】
すなわち、３速は、図３の共線図に示すように、第１遊星ギヤＧ１からの減速回転を第２リングギヤR2への入力回転とする第１クラッチＣ１の締結点と、第１遊星ギヤＧ１からの減速回転を第２サンギヤS2への入力回転とする第２クラッチＣ２の締結点と、を結ぶ線にて規定され、入力軸Inputから入力された回転を減速（＝第１遊星ギヤＧ１の減速比）して出力ギヤOutputから出力する。
【００５３】
この３速でのトルクフローは、図４（ｃ）に示す通りであり、太線で示す第１クラッチＣ１と第２クラッチＣ２と各メンバと、ハッチングで示す第１遊星ギヤＧ１及び第２遊星ギヤＧ２にトルクが作用することになる。すなわち、第３遊星ギヤＧ３はトルク伝達に何ら関与しない。
【００５４】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【００５５】
この４速では、第２遊星ギヤＧ２において、第１クラッチＣ１の締結により、第１遊星ギヤＧ１からの減速回転が第２リングギヤR2に入力される。
【００５６】
一方、第３遊星ギヤＧ３においては、第３クラッチＣ３の締結により、入力軸Inputからの入力回転がセンターメンバCMを介して第３キャリヤPC3に入力される。このため、第３サンギヤS3の回転は、第３リングギヤR3の出力回転よりも増速され、この第３サンギヤS3の増速回転は、第１連結メンバＭ１を介して第２サンギヤS2に伝達される。
【００５７】
よって、第２遊星ギヤＧ２においては、第２リングギヤR2から減速回転が入力され、第２サンギヤS2から増速回転が入力されることになり、第２リングギヤR2からの減速回転を増速した回転（入力回転よりも低回転）が、第２キャリヤPC2から第２連結メンバＭ２を経過して出力ギヤOutputへ出力される。
【００５８】
すなわち、４速は、図３の共線図に示すように、第１遊星ギヤＧ１からの減速回転を第２リングギヤR2への入力回転とする第１クラッチＣ１の締結点と、第３キャリヤPC3の回転を入力回転とする第３クラッチＣ３の締結点と、を結ぶ線にて規定され、入力軸Inputから入力された回転を僅かに減速して出力ギヤOutputから出力する。
【００５９】
この４速でのトルクフローは、図５（ａ）に示す通りであり、太線で示す第１クラッチＣ１と第３クラッチＣ３と各メンバと、ハッチングで示す第１遊星ギヤＧ１と第２遊星ギヤＧ２と第３遊星ギヤＧ３（第４サンギヤS4を除く）にトルクが作用することになる。
【００６０】
（５速）
５速は、図２に示すように、４速での第１クラッチＣ１を解放し、第２クラッチＣ２を締結する、つまり、第２クラッチＣ２と第３クラッチＣ３を締結することにより得られる。
【００６１】
この５速では、第２クラッチＣ２の締結により、第１遊星ギヤＧ１からの減速回転が第２サンギヤS2及び第１連結メンバＭ１を介して第３サンギヤS3に入力される。同時に、第３クラッチＣ３の締結により、入力軸Inputからの入力回転がセンターメンバCMを介して第３キャリヤPC3に入力される。
【００６２】
よって、第３遊星ギヤＧ３においては、第３キャリヤPC3に入力回転が入力され、第３サンギヤS3に第１遊星ギヤＧ１からの減速回転が入力されることになり、入力回転よりも増速した回転が、第３リングギヤR3から第２連結メンバＭ２を経過して出力ギヤOutputへ出力される。
【００６３】
すなわち、５速は、図３の共線図に示すように、第１遊星ギヤＧ１からの減速回転を第３サンギヤS3への入力回転とする第２クラッチＣ２の締結点と、第３キャリヤPC3の回転を入力回転とする第３クラッチＣ３の締結点と、を結ぶ線にて規定され、入力軸Inputから入力された回転を僅かに増速して出力ギヤOutputから出力する。
【００６４】
この５速でのトルクフローは、図５（ｂ）に示す通りであり、太線で示す第２クラッチＣ２と第３クラッチＣ３と各メンバと、ハッチングで示す第１遊星ギヤＧ１と第３遊星ギヤＧ３（第４サンギヤS4を除く）にトルクが作用することになる。
【００６５】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【００６６】
この６速では、第３クラッチＣ３の締結により、入力軸Inputからの入力回転が第３遊星ギヤＧ３のセンターメンバCMを介して第３キャリヤPC3に入力される。また、第２ブレーキＢ２の締結により、第３遊星ギヤＧ３の第４サンギヤS4がケースに固定される。
【００６７】
よって、第３遊星ギヤＧ３においては、第３キャリヤPC3に入力回転が入力され、第４サンギヤS4がケースに固定されることになり、入力回転よりも増速した回転が、第３リングギヤR3から第２連結メンバＭ２を経過して出力ギヤOutputへ出力される。
【００６８】
すなわち、６速は、図３の共線図に示すように、第３キャリヤPC3の回転を入力回転とする第３クラッチＣ３の締結点と、第４サンギヤS4をケースに固定とする第２ブレーキＢ２の締結点と、を結ぶ線にて規定され、入力軸Inputから入力された回転を増速して出力ギヤOutputから出力する。
【００６９】
この６速でのトルクフローは、図５（ｃ）に示す通りであり、太線で示す第３クラッチＣ３と第２ブレーキＢ２と各メンバと、ハッチングで示す第３遊星ギヤＧ３（第３サンギヤS3を除く）にトルクが作用することになる。
【００７０】
（後退速）
後退速は、図２に示すように、第２クラッチＣ２と第１ブレーキＢ１を締結することにより得られる。
【００７１】
この後退速では、第２クラッチＣ２の締結により、第１遊星ギヤＧ１からの減速回転が第２サンギヤS2及び第１連結メンバＭ１を介して第３サンギヤS3に入力される。一方、第１ブレーキＢ１の締結により、第３キャリヤPC3がケースに固定される。
【００７２】
よって、第３遊星ギヤＧ３においては、第３サンギヤS3に正方向の減速回転が入力され、第３キャリヤPC3がケースに固定となり、第３リングギヤR3からは、減速した逆回転が、第２連結メンバＭ２を経過して出力ギヤOutputへ出力される。
【００７３】
すなわち、後退速は、図３の共線図に示すように、第１遊星ギヤＧ１からの減速回転を第３サンギヤS3への入力回転とする第２クラッチＣ２の締結点と、第３キャリヤPC3の回転を停止する第１ブレーキＢ１の締結点とを結ぶ線にて規定され、入力軸Inputから入力された回転を逆方向に減速して出力ギヤOutputから出力する。
【００７４】
この後退速でのトルクフローは、図６に示す通りであり、太線で示す第２クラッチＣ２と第１ブレーキＢ１と各メンバと、ハッチングで示す第１遊星ギヤＧ１と第３遊星ギヤＧ３（第４サンギヤS4を除く）にトルクが作用することになる。
【００７５】
［対比による優位点］
本発明の自動変速機用歯車変速装置の基本的な考え方は、３クラッチと２ブレーキにより前進６速を成立させると共に、遊星ギヤ＋シンプソン型遊星歯車列をベースとしながらも、シンプソン型遊星歯車列の問題点を補い、さらに、遊星ギヤ＋ラビニオ型複合遊星歯車列による歯車変速装置を超える歯車変速装置を提供しようとするものである。以下、シンプソン型遊星歯車列やラビニオ型複合遊星歯車列を採用した歯車変速装置と対比しながら優位性を述べる。
【００７６】
・シンプソン型遊星歯車列の特徴
(i)シンプソン型遊星歯車列では、最大トルクが作用する１速でのトルク伝達の流れが、図８（ａ）に示すように、全メンバを介して分担するので、強度的に有利である。
【００７７】
(ii)シンプソン型遊星歯車列は、リングギヤ入力であるため、サンギヤ入力に比較して、接線力が半分程度になり、歯車強度や歯車寿命やキャリヤ剛性等の点で有利である。
すなわち、図９に示すように、遊星ギヤに同じトルクが入力した場合、リングギヤ入力ｆが、サンギヤ入力Ｆに比較して接線力が、１／２〜１／２．５に減少する。
【００７８】
(iii)オーバードライブの変速段を得るには、シンプソン型遊星歯車列へのキャリヤ入力が必要であるが、入力軸と出力軸とを同軸に設けると、シングルピニオン型の遊星ギヤでは、図１０（ａ）に示すように、回転メンバが３メンバに限られるため、図１０（ｂ）の点線に示すように、キャリヤへの入力経路が不成立となる。
【００７９】
よって、キャリヤへの入力経路を成立させるため、入力軸と出力軸とを異なる軸線上に平行軸配置で設ける必要があり、その結果、自動変速機の大型化を招くという問題点を有する。
【００８０】
・ラビニオ型複合遊星歯車列の問題点
そこで、前記(iii)の問題点を解消するために、シンプソン型遊星歯車列に代えて、ラビニオ型複合遊星歯車列を採用した歯車変速装置にすると、入力軸と出力軸とを同軸配置を達成できるものの、下記に列挙する問題点を有する。
【００８１】
(v)歯車列の最大トルク（１速）を、図８（ｂ）に示すように、ラビニオ型複合遊星歯車列の片側のダブルピニオン型遊星ギヤで受け持つので、強度的に不利である。
【００８２】
(vi)減速装置としての一組のシングルピニオン型遊星ギヤで増大したトルクを、図７に示すように、ラビニオ型複合遊星歯車列のサンギヤから入力するため、上記(ii)の理由により、リングギヤ入力に比較して、接線力が大きくなり、歯車強度や歯車寿命やキャリヤ剛性等の点で不利である。
【００８３】
(vii)１速におけるラビニオ型複合遊星歯車列の強度（歯車強度や歯車寿命）の確保やキャリヤ剛性等の向上が要求されることで、ラビニオ型複合遊星歯車列を大型化する必要があり、この結果、自動変速機の大型化を招く。
【００８４】
(viii)２速では、図７に示すように、ラビニオ型複合遊星歯車列にてトルク循環が発生し、トルク循環が発生する２速では、伝達効率の低下により、燃費が悪化する。ここで、トルク循環とは、図７に示すように、第３リングギヤＲ３から出力トルク（２，３６２）と循環トルク（１．７７）とが分岐して発生し、このうち、循環トルクは、２速の間、第３リングギヤＲ３と第２ピニオンＰ２とを内部循環する。
【００８５】
・イシマル型遊星歯車列の特徴
本発明において採用したシングルピニオン型遊星ギヤとダブルサンギヤ型遊星ギヤとを組み合わせたイシマル型遊星歯車列の特徴について説明する。
【００８６】
(a)オーバードライブの変速段を得るには、キャリヤ入力が必要であるが、キャリヤ入力を達成しながら、イシマル型遊星歯車列では、ラビニオ型複合遊星歯車列と同様に、入力部と出力部とを同軸に配置することができる。すなわち、図１０（ｃ）に示すように、イシマル型遊星歯車列を構成するダブルサンギヤ型遊星ギヤは、（サンギヤから２つのメンバ）＋（リングギヤから１つのメンバ）＋（キャリヤから軸方向と径方向に２つのメンバ）＝５つのメンバというように、メンバ数が多くなり、特に、センターメンバにより２つのサンギヤの間から径方向に入力が取れることで、オーバードライブを含む高変速段（第１実施例では４速〜６速）が成立するキャリヤ入力が達成される。
【００８７】
(b)歯車列の最大トルク（１速）を、図５（ａ）に示すように、イシマル型遊星歯車列の第２遊星ギヤＧ２と第３遊星ギヤＧ３の両方で受け持ち、１速のトルクフローが全メンバを介して分担可能であるため、強度的に有利である。
【００８８】
(c)減速装置としての一組の第１遊星ギヤＧ１で増大したトルクを、例えば、伝達トルクが大きい１速と２速において、図４（ａ）と図４（ｂ）に示すように、イシマル型遊星歯車列の第２リングギヤR2から入力するため、サンギヤ入力であるラビニオ型複合遊星歯車列に比較して、接線力が小さくなり、歯車強度や歯車寿命やキャリヤ剛性等の点で有利（小型化可能）である。
【００８９】
(d)ラビニオ型複合遊星歯車列に比べ、イシマル型遊星歯車列は、強度的に有利で、かつ、歯車強度や歯車寿命やキャリヤ剛性等の点で有利であると共に、ラビニオ型複合遊星歯車列と同様に、入力部と出力部とが同軸配置による構成とすることができるため、歯車変速装置がコンパクトとなり、自動変速機の小型化を達成することができる。
【００９０】
(e)イシマル型遊星歯車列の２速では、図４（ｂ）に示すように、トルク循環の発生が無く、トルク循環が発生するラビニオ型複合遊星歯車列の２速に比べて、伝達効率が向上し、燃費が向上する。
【００９１】
すなわち、図１１に一般的に適用可能なギヤ比α（＝サンギヤ歯数／リングギヤ歯数）の範囲(α＝0.35〜0.65)で、且つ、好ましいといわれている高速段になるほど段間比が小さいという条件を考慮した場合のラビニオ型複合遊星歯車列とイシマル型遊星歯車列の対比を示すが、２速での伝達効率をみると、ラビニオ型複合遊星歯車列の伝達効率は、0.950または0.952であるのに対し、イシマル型遊星歯車列の伝達効率は、第１遊星ギヤＧ１がシングルピニオン型の場合は0.972、ダブルピニオン型の場合0.968である。
【００９２】
(f)ラビニオ型複合遊星歯車列は、ギヤ比αの設定に際し、リングギヤ歯数が一定であるという規制があるため、一般的に適用可能なギヤ比範囲(α＝0.35〜0.65)で、且つ、好ましいといわれている高速段になるほど段間比が小さいという条件を考慮した場合、適用できる変速比幅であるレシオカバレージ（＝１速ギヤ比／６速ギヤ比）は、図１１に示すように、最小4.81〜最大7.20である。
【００９３】
これに対し、二組の遊星ギヤＧ２，Ｇ３のギヤ比α2,α3を互いに独立に設定できるイシマル型遊星歯車列は、ラビニオ型複合遊星歯車列に比べ、適用できるレシオカバレージが、図１１に示すように、第１遊星ギヤＧ１がシングルピニオン型の場合は最小4.81〜最大7.80、ダブルピニオン型の場合は最小5.08〜最大9.02へと拡大し、例えば、図２の数値（なお、最上段の数値5.5〜7.0はレシオカバレージ）に示すように、ギヤ比の選択自由度を高めることができる。
【００９４】
次に、効果を説明する。
以上説明したように、第１実施例の自動変速機用歯車変速装置にあっては、下記に列挙する効果を得ることができる。
【００９５】
（１）駆動源からの回転を入力する入力軸Ｉｎｐｕｔと、変速された回転を出力する出力ギヤＯｕｔｐｕｔと、三組の遊星ギヤＧ１，Ｇ２，Ｇ３と、複数の回転要素間を一体的に連結する複数のメンバＭ１，Ｍ２と、入力軸Ｉｎｐｕｔ，出力ギヤＯｕｔｐｕｔ，連結メンバＭ１，Ｍ２及び三組の遊星ギヤＧ１，Ｇ２，Ｇ３の各回転要素間に配置され、選択的に断接する３つのクラッチＣ１，Ｃ２，Ｃ３と選択的に固定する２つのブレーキＢ１，Ｂ２と、を備え、前記３つのクラッチＣ１，Ｃ２，Ｃ３と２つのブレーキＢ１，Ｂ２を適宜締結・解放することで、少なくとも前進６速・後退１速を得る変速制御手段を有する自動変速機用歯車変速装置であって、前記三組の遊星ギヤＧ１，Ｇ２，Ｇ３のうち、一組の遊星ギヤＧ１を、入力回転を常時減速する減速装置とし、残り二組の遊星ギヤＧ２，Ｇ３のうち、一組の遊星ギヤＧ３を、２つのサンギヤＳ３，Ｓ４と、該２つのサンギヤＳ３，Ｓ４の各々と噛み合うピニオンＰ３と、前記２つのサンギヤＳ３，Ｓ４間に配置され、かつ、回転を入力又は出力するセンターメンバＣＭを有するキャリヤと、前記ピニオンＰ３に噛み合う１つのリングギヤＲ３と、を有するダブルサンギヤ型遊星ギヤとしたため、下記に列挙する効果を有する（請求項１に対応）。
(i)二組の遊星ギヤＧ２，Ｇ３にて構成されるイシマル型歯車列の歯車強度や歯車寿命等の強度的有利性が得られる。
(ii)２速でのトルク循環を無くすことで燃費の向上が図られる。
(iii)入力軸Ｉｎｐｕｔと出力ギヤＯｕｔｐｕｔとを同軸配置とすることができる。
(iv)入力軸Ｉｎｐｕｔと出力ギヤＯｕｔｐｕｔとを同軸配置と、強度要求が低いことによるイシマル型歯車列の小型化により、自動変速機のコンパクト化が図られる。
(v)ラビニオ型複合遊星歯車列を用いる場合に比べてギヤ比の選択自由度を高めることができる。
(vi)一組の遊星ギヤＧ１を、入力回転を常時減速する減速装置としたため、減速装置の小型化を達成でき、さらに、自動変速機をコンパクトにすることができる。
【００９６】
（２）減速装置である第１遊星ギヤＧ１を、シングルピニオン型遊星ギヤとしたため、ギヤノイズや部分点数が低減できると共に、伝達効率が向上し、さらに、燃費の向上につながる（請求項１０に対応）。
【００９７】
（３）減速装置である遊星ギヤを第１遊星ギヤＧ１、ダブルサンギヤ型遊星ギヤを第３遊星ギヤＧ３、残りの遊星ギヤを第２遊星ギヤＧ２としたとき、前記第２遊星ギヤＧ２と前記第３遊星ギヤＧ３とは、第２遊星ギヤＧ２の回転メンバと第３遊星ギヤＧ３の回転メンバとを一体的に連結する連結メンバＭ１，Ｍ２を含んで５つの回転メンバで構成される遊星ギヤセットであって、前記第３遊星ギヤＧ３の一方の第４サンギヤＳ４を選択的に停止（固定）可能な第２ブレーキＢ２に連結する第１回転メンバと、前記第３遊星ギヤＧ３の他方の第３サンギヤＳ３と前記第１遊星ギヤＧ１の第１キャリヤＰＣ１とを選択的に断接可能な第２クラッチＣ２に連結する第２回転メンバと、第２連結メンバＭ２を介して出力ギヤＯｕｔｐｕｔに連結する第３回転メンバと、前記第１遊星ギヤＧ１の第１リングギヤＲ１とを選択的に断接可能な第３クラッチＣ３と選択的に停止（固定）可能な第１ブレーキＢ１とに連結する第４回転メンバと、前記第１遊星ギヤＧ１の第１キャリヤＰＣ１とを選択的に断接可能な第１クラッチＣ１に連結する第５回転メンバと、を有し、前記第１クラッチＣ１と第１ブレーキＢ１の締結により１速、第１クラッチＣ１と第２ブレーキＢ２の締結により２速、第１クラッチＣ１と第２クラッチＣ２の締結により３速、第１クラッチＣ１と第３クラッチＣ３の締結により４速、第２クラッチＣ２と第３クラッチＣ３の締結により５速、第３クラッチＣ３と第２ブレーキＢ２の締結により６速、第２クラッチＣ２と第１ブレーキＢ１の締結により後退速とし、前進６速で後退１速を得る変速油圧制御装置を設けたため、５つの回転メンバで構成される遊星ギヤセット、いわゆる、イシマル型遊星歯車列によりクラッチ・ブレーキ・各メンバの配置レイアウトを高めながら、２速にてトルク循環を無くすことで高い燃費の向上が図られる前進６速で後退１速の歯車変速装置を提供することができる（請求項１に対応）。
【００９８】
（４）第１サンギヤＳ１と、第１リングギヤＲ１と、両ギヤＳ１，Ｒ１に噛み合う第１ピニオンＰ１を支持する第１キャリヤＰＣ１と、を有する減速装置であるシングルピニオン型の第１遊星ギヤＧ１と、第２サンギヤＳ２と、第２リングギヤＲ２と、両ギヤＳ２，Ｒ２に噛み合う第２ピニオンＰ２を支持する第２キャリヤＰＣ２と、を有するシングルピニオン型の第２遊星ギヤＧ２と、２つの第３サンギヤＳ３及び第４サンギヤＳ４と、両サンギヤＳ３，Ｓ４の各々に噛み合う第３ピニオンＰ３を支持する第３キャリヤＰＣ３及びセンターメンバＣＭと、前記第３ピニオンＰ３に噛み合う１つの第３リングギヤＲ３と、を有するダブルサンギヤ型の第３遊星ギヤＧ３と、第１リングギヤＲ１に連結される入力軸Ｉｎｐｕｔと、第２キャリヤＰＣ２に連結される出力ギヤＯｕｔｐｕｔと、第２サンギヤＳ２と第３サンギヤＳ３とを一体的に連結する第１連結メンバＭ１と、第２キャリヤＰＣ２と第３リングギヤＲ３とを一体的に連結する第２連結メンバＭ２と、第１キャリヤＰＣ１と第２リングギヤＲ２とを選択的に断接する第１クラッチＣ１と、第１キャリヤＰＣ１と第２サンギヤＳ２を選択的に断接する第２クラッチＣ２と、入力軸ＩｎｐｕｔとセンターメンバＣＭを選択的に断接する第３クラッチＣ３と、第３キャリヤＰＣ３の回転を選択的に停止させる第１ブレーキＢ１と、第４サンギヤＳ４の回転を選択的に停止させる第２ブレーキＢ２と、前進６速で後退１速を得る変速油圧制御装置を設けたため、１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができる（請求項３に対応）。
【００９９】
（５）ダブルサンギヤ型遊星ギヤである第３遊星ギヤＧ３を、同じ歯数を有する２つのサンギヤＳ３，Ｓ４と、該２つのサンギヤＳ３，Ｓ４の各々に噛み合うピニオンＰ３と、を有する遊星ギヤとしたため、ピニオンＰ３の加工が容易であり、製造容易という効果が得られる。また、音や振動に対しても非常に有利となる（請求項１５に対応）。
【０１００】
＊第１実施例装置の具体例
図１２は第１実施例の歯車変速装置を自動変速機に採用する場合の具体的な構成を示す断面図である。
【０１０１】
この具体例は、図１に示すスケルトン図と対比すると、入力軸Inputを図面右側から配置し、第３クラッチＣ３と第１ブレーキＢ１を共にセンターメンバCMから取り出している点で異なる。なお、図１２において、Ｄは第１クラッチＣ１のクラッチドラム、DPは第２クラッチＣ２のクラッチドラムと第１クラッチＣ１のピストンとを兼用するドラムピストン、Ｐは第２クラッチＣ２のピストンであり、第１クラッチＣ１のクラッチドラムＤとドラムピストンDPとは互いにスプライン結合されている。
【０１０２】
前記クラッチドラムＤには、第１及び第２クラッチＣ１，Ｃ２が包含されているため、３速における第１及び第２クラッチＣ１，Ｃ２の同時締結時に締結力を適正に選定することで、油圧の制御を簡略化している。すなわち、３速では、第１クラッチＣ１と第２クラッチＣ２が同時に締結される。このとき、第１クラッチＣ１に入力されるトルクTC1と第２クラッチＣ２に入力されるトルクTC2との比は、第２遊星ギヤＧ２のギヤ比をα2とすると、
TC1：TC2＝｛１／（１＋α2）｝：｛α2／（１＋α2）｝
となるため、予めドラムピストンDPの有効断面積と、ピストンＰの有効断面積の比を、
DP有効断面積：Ｐ有効断面積＝｛１／（１＋α2）｝：｛α2／（１＋α2）｝
にしておくことで、異なる油圧を供給する必要が無く、油圧制御を簡略化できるという特徴を持つ。
【０１０３】
（第２実施例）
まず、構成を説明する。
【０１０４】
第２実施例は、請求項１，４，１０，１５に記載の発明に対応する自動変速機用歯車変速装置で、図１３は第２実施例の自動変速機用歯車変速装置を示すスケルトン図である。
【０１０５】
図１３において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０１０６】
第２実施例の自動変速機用歯車変速装置（減速シングルタイプ２という）は、図１３の左端部に減速装置としてのシングルピニオン型の第１遊星ギヤＧ１を配置し、中央部にダブルサンギヤ型の第３遊星ギヤＧ３を配置し、右端部にシングルピニオン型の第２遊星ギヤＧ２を配置した例である。そして、前記第２遊星ギヤＧ２と第３遊星ギヤＧ３により、いわゆる、イシマル型遊星歯車列を構成している。
【０１０７】
前記第１遊星ギヤＧ１は、第１サンギヤS1と、第１リングギヤR1と、両ギヤS1,R1に噛み合う第１ピニオンP1を支持する第１キャリヤPC1と、を有する減速装置である。
【０１０８】
前記第２遊星ギヤＧ２は、第２サンギヤS2と、第２リングギヤR2と、両ギヤS2,R2に噛み合う第２ピニオンP2を支持する第２キャリヤPC2と、を有するシングルピニオン型遊星ギヤである。
【０１０９】
前記第３遊星ギヤＧ３は、２つの第３サンギヤS3及び第４サンギヤS4と、該両サンギヤS3,S4の各々に噛み合う第３ピニオンP3を支持するセンターメンバCMと、前記第３ピニオンP3に噛み合う１つの第３リングギヤR3と、を有するダブルサンギヤ型遊星ギヤである。
【０１１０】
前記入力軸Inputは、第１リングギヤR1に連結され、前記出力ギヤOutputは、第２キャリヤPC2に連結される。
【０１１１】
前記第１連結メンバＭ１は、第２サンギヤS2と第３サンギヤS3とを一体的に連結する。前記第２連結メンバＭ２は、第２キャリヤPC2と第３リングギヤR3とを一体的に連結する。
【０１１２】
前記第１クラッチＣ１は、第１キャリヤPC1と第２リングギヤR2とを選択的に断接する。前記第２クラッチＣ２は、第１キャリヤPC1と第４サンギヤS4とを選択的に断接する。前記第３クラッチＣ３は、入力軸InputとセンターメンバCMとを選択的に断接する。
【０１１３】
前記第１ブレーキＢ１は、センターメンバCMの回転を選択的に停止させる。前記第２ブレーキＢ２は、第２サンギヤS2の回転を選択的に停止させる。
【０１１４】
前記クラッチＣ１，Ｃ２，Ｃ３と前記ブレーキＢ１，Ｂ２には、第１実施例と同様に、第１クラッチＣ１と第１ブレーキＢ１の締結により１速、第１クラッチＣ１と第２ブレーキＢ２の締結により２速、第１クラッチＣ１と第２クラッチＣ２の締結により３速、第１クラッチＣ１と第３クラッチＣ３の締結により４速、第２クラッチＣ２と第３クラッチＣ３の締結により５速、第３クラッチＣ３と第２ブレーキＢ２の締結により６速、第２クラッチＣ２と第１ブレーキＢ１の締結により後退速とし、前進６速で後退１速を得る変速油圧制御装置が設けられている（図２参照）。
【０１１５】
次に、作用を説明する。
［変速作用］
図１４〜図１６は第２実施例の自動変速機用歯車変速装置の各変速段でのトルクフローを示す図である。図１４〜図１６においてクラッチ・ブレーキ・メンバのトルク伝達経路は太線で示し、ギヤのトルク伝達経路はハッチングで示す。
【０１１６】
なお、第２実施例装置での締結作動表は図２に示す第１実施例装置での締結作動表と同じであり、また、第２実施例装置での各変速段におけるメンバの回転停止状態を示す共線図は図３に示す第１実施例装置での共線図と同じであり、図示ならびに説明を省略する。
【０１１７】
〈１速〉
１速は、図２に示すように、第１クラッチＣ１と第１ブレーキＢ１の締結により得られる。
【０１１８】
この１速でのトルクフローは、図１４（ａ）に示す通りであり、太線で示す第１クラッチＣ１と第１ブレーキＢ１と各メンバと、ハッチングで示す第１遊星ギヤＧ１と第２遊星ギヤＧ２と第３遊星ギヤＧ３（第４サンギヤS4を除く）にトルクが作用することになる。つまり、１速では、イシマル型遊星歯車列を構成する第２遊星ギヤＧ２と第３遊星ギヤＧ３がトルク伝達に関与する。
【０１１９】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【０１２０】
この２速でのトルクフローは、図４（ｂ）に示す通りであり、太線で示す第１クラッチＣ１と第２ブレーキＢ２と各メンバと、ハッチングで示す第１遊星ギヤＧ１及び第２遊星ギヤＧ２にトルクが作用することになる。すなわち、第３遊星ギヤＧ３は、回転メンバとして機能するだけで、トルク伝達に何ら関与しない。
【０１２１】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【０１２２】
この３速でのトルクフローは、図１５（ａ）に示す通りであり、太線で示す第１クラッチＣ１と第２クラッチＣ２と各メンバと、ハッチングで示す第１遊星ギヤＧ１及び第２遊星ギヤＧ２にトルクが作用することになる。なお、第３遊星ギヤＧ３については、減速回転である両サンギヤS3,S4の回りを、非拘束の第３ピニオンP3が第３リングギヤR3の出力回転に伴って自転および公転するだけであり、トルク伝達には関与しない。
【０１２３】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【０１２４】
この４速でのトルクフローは、図１５（ｂ）に示す通りであり、太線で示す第１クラッチＣ１と第３クラッチＣ３と各メンバと、ハッチングで示す第１遊星ギヤＧ１と第２遊星ギヤＧ２と第３遊星ギヤＧ３（第４サンギヤS4を除く）にトルクが作用することになる。
【０１２５】
（５速）
５速は、図２に示すように、４速での第１クラッチＣ１を解放し、第２クラッチＣ２を締結する。つまり、第２クラッチＣ２と第３クラッチＣ３を締結することにより得られる。
【０１２６】
この５速でのトルクフローは、図５（ｃ）に示す通りであり、太線で示す第２クラッチＣ２と第３クラッチＣ３と各メンバと、ハッチングで示す第１遊星ギヤＧ１と第３遊星ギヤＧ３（第３サンギヤS3を除く）にトルクが作用することになる。
【０１２７】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【０１２８】
この６速でのトルクフローは、図１６（ａ）に示す通りであり、太線で示す第３クラッチＣ３と第２ブレーキＢ２と各メンバと、ハッチングで示す第３遊星ギヤＧ３（第４サンギヤS4を除く）にトルクが作用することになる。
【０１２９】
（後退速）
後退速は、図２に示すように、第２クラッチＣ２と第１ブレーキＢ１を締結することにより得られる。
【０１３０】
この後退速でのトルクフローは、図１６（ｂ）に示す通りであり、太線で示す第２クラッチＣ２と第１ブレーキＢ１と各メンバと、ハッチングで示す第１遊星ギヤＧ１と第３遊星ギヤＧ３（第３サンギヤS3を除く）にトルクが作用することになる。
【０１３１】
次に、効果を説明する。
以上説明したように、第２実施例の自動変速機用歯車変速装置にあっては、第１実施例装置の(1),(2),(3),(5)の効果に加え、下記の効果を得ることができる。
【０１３２】
（６）第１サンギヤＳ１と、第１リングギヤＲ１と、両ギヤＳ１，Ｒ１に噛み合う第１ピニオンＰ１を支持する第１キャリヤＰＣ１と、を有する減速装置であるシングルピニオン型の第１遊星ギヤＧ１と、第２サンギヤＳ２と、第２リングギヤＲ２と、両ギヤＳ２，Ｒ２に噛み合う第２ピニオンＰ２を支持する第２キャリヤＰＣ２と、を有するシングルピニオン型の第２遊星ギヤＧ２と、２つの第３サンギヤＳ３及び第４サンギヤＳ４と、両サンギヤＳ３，Ｓ４の各々に噛み合う第３ピニオンＰ３を支持するセンターメンバＣＭと、前記第３ピニオンＰ３に噛み合う１つの第３リングギヤＲ３と、を有するダブルサンギヤ型の第３遊星ギヤＧ３と、第１リングギヤＲ１に連結される入力軸Ｉｎｐｕｔと、第２キャリヤＰＣ２に連結される出力ギヤＯｕｔｐｕｔと、第２サンギヤＳ２と第３サンギヤＳ３とを一体的に連結する第１連結メンバＭ１と、第２キャリヤＰＣ２と第３リングギヤＲ３とを一体的に連結する第２連結メンバＭ２と、第１キャリヤＰＣ１と第２リングギヤＲ２とを選択的に断接する第１クラッチＣ１と、第１キャリヤＰＣ１と第４サンギヤＳ４を選択的に断接する第２クラッチＣ２と、入力軸ＩｎｐｕｔとセンターメンバＣＭを選択的に断接する第３クラッチＣ３と、センターメンバＣＭの回転を選択的に停止させる第１ブレーキＢ１と、第２サンギヤＳ２の回転を選択的に停止させる第２ブレーキＢ２と、前進６速で後退１速を得る変速油圧制御装置を設けたため、１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができると共に、２速においてトルク循環が無くなるため、２速の伝達効率が向上し、燃費の向上を図ることができる。しかも、２速では、第３遊星ギヤＧ２の第２サンギヤＳ２が、第３，第４サンギヤＳ３，Ｓ４を経由せず、直接、第２ブレーキＢ２により固定されるため、第１実施例装置よりも歯車の伝達効率が高く、燃費の向上に寄与する（請求項４に対応）。
【０１３３】
（第３実施例）
まず、構成を説明する。
【０１３４】
第３実施例は、請求項２，５，１２，１５に記載の発明に対応する自動変速機用歯車変速装置で、図１７は第３実施例の自動変速機用歯車変速装置を示すスケルトン図である。
【０１３５】
図１７において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０１３６】
第３実施例の自動変速機用歯車変速装置（増速シングルタイプ１という）は、図１７の左端部に減速装置としてのシングルピニオン型の第１遊星ギヤＧ１を配置し、中央部にシングルピニオン型の第２遊星ギヤＧ２を配置し、右端部にダブルサンギヤ型の第３遊星ギヤＧ３を配置した例である。そして、前記第２遊星ギヤＧ２と第３遊星ギヤＧ３により、いわゆる、イシマル型遊星歯車列を構成している。
【０１３７】
前記第１遊星ギヤＧ１は、第１サンギヤS1と、第１リングギヤR1と、両ギヤS1,R1に噛み合う第１ピニオンP1を支持する第１キャリヤPC1と、を有する増速装置である。
【０１３８】
前記第２遊星ギヤＧ２は、第２サンギヤS2と、第２リングギヤR2と、両ギヤS2,R2に噛み合う第２ピニオンP2を支持する第２キャリヤPC2と、を有するシングルピニオン型遊星ギヤである。
【０１３９】
前記第３遊星ギヤＧ３は、２つの第３サンギヤS3及び第４サンギヤS4と、両サンギヤS3,S4の各々に噛み合う第３ピニオンP3を支持する第３キャリヤPC3及びセンターメンバCMと、前記第３ピニオンP3に噛み合う１つの第３リングギヤR3と、を有するダブルサンギヤ型遊星ギヤである。
【０１４０】
前記入力軸Inputは、第１キャリヤPC1に連結され、前記出力ギヤOutputは、第２キャリヤPC2に連結される。
【０１４１】
前記第１連結メンバＭ１は、第２サンギヤS2と第３サンギヤS3とを一体的に連結し、また、前記第２連結メンバＭ２は、第２キャリヤPC2と第３リングギヤR3とを一体的に連結する。
【０１４２】
前記第１クラッチＣ１は、第１キャリヤPC1と第２リングギヤR2とを選択的に断接する。前記第２クラッチＣ２は、第１キャリヤPC1と第２サンギヤS2とを選択的に断接する。前記第３クラッチＣ３は、第１リングギヤR1とセンターメンバCMとを選択的に断接する。
【０１４３】
前記クラッチＣ１，Ｃ２，Ｃ３と前記ブレーキＢ１，Ｂ２には、第１実施例と同様に、第１クラッチＣ１と第１ブレーキＢ１の締結により１速、第１クラッチＣ１と第２ブレーキＢ２の締結により２速、第１クラッチＣ１と第２クラッチＣ２の締結により３速、第１クラッチＣ１と第３クラッチＣ３の締結により４速、第２クラッチＣ２と第３クラッチＣ３の締結により５速、第３クラッチＣ３と第２ブレーキＢ２の締結により６速、第２クラッチＣ２と第１ブレーキＢ１の締結により後退速とし、前進６速で後退１速を得る変速油圧制御装置が設けられている（図２参照）。
【０１４４】
次に、作用を説明する。
【０１４５】
［変速作用］
図１８は第３実施例の自動変速機用歯車変速装置において各変速段におけるメンバの回転停止状態を示す共線図、図１９〜図２１は第３実施例の自動変速機用歯車変速装置の各変速段でのトルクフローを示す図である。
【０１４６】
なお、図１９〜図２１においてクラッチ・ブレーキ・メンバのトルク伝達経路は太線で示し、ギヤのトルク伝達経路はハッチングで示す。なお、第３実施例装置の締結作動表は、図２に示す第１実施例装置の締結作動表と同じであるため図示を省略する。
【０１４７】
〈１速〉
１速は、図２に示すように、第１クラッチＣ１と第１ブレーキＢ１の締結により得られる。
【０１４８】
この１速では、第２遊星ギヤＧ２において、第１クラッチＣ１の締結により、入力回転が第２リングギヤR2に入力される。
【０１４９】
一方、第３遊星ギヤＧ３においては、第１ブレーキＢ１の締結により、第３キャリヤPC3がケースに固定される。このため、第３サンギヤS3の回転は、第３リングギヤR3からの出力回転に対して回転方向が逆方向の減速回転となり、この第３サンギヤS3の回転は、第１連結メンバＭ１を介して第２サンギヤS2に伝達される。
【０１５０】
よって、第２遊星ギヤＧ２においては、第２リングギヤR2から正方向の入力回転が入力され、第２サンギヤS2から逆方向の減速回転が入力されることになり、第２リングギヤR2からの入力回転を減速した回転が、第２キャリヤPC2から第２連結メンバＭ２を経過して出力ギヤOutputへ出力される。
【０１５１】
すなわち、１速は、図１８の共線図に示すように、入力軸Inputからの入力回転を第２リングギヤR2への入力回転とする第１クラッチＣ１の締結点と、第３キャリヤPC3の回転を停止する第１ブレーキＢ１の締結点とを結ぶ線にて規定され、入力軸Inputからの入力回転を減速して出力ギヤOutputから出力する。
【０１５２】
この１速でのトルクフローは、図１９（ａ）に示す通りであり、太線で示す第１クラッチＣ１と第１ブレーキＢ１と各メンバと、ハッチングで示す第２遊星ギヤＧ２と第３遊星ギヤＧ３（第４サンギヤS4を除く）にトルクが作用することになる。つまり、１速では、イシマル型遊星歯車列を構成する第２遊星ギヤＧ２と第３遊星ギヤＧ３がトルク伝達に関与する。
【０１５３】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【０１５４】
この２速では、第２遊星ギヤＧ２において、第１クラッチＣ１の締結により、入力回転が第２リングギヤR2に入力される。
【０１５５】
一方、第３遊星ギヤＧ３においては、第２ブレーキＢ２の締結により、第４サンギヤS4がケースに固定される。このため、第３ピニオンP3により連結されている第３サンギヤS3が固定される。そして、第１連結メンバＭ１を介して第３サンギヤS3と連結される第２サンギヤS2がケースに固定される。
【０１５６】
よって、第２遊星ギヤＧ２においては、第２リングギヤR2から入力軸Inputの入力回転が入力され、第２サンギヤS2が固定されることになり、第２リングギヤR2からの入力回転を減速した回転が、第２キャリヤPC2から第２連結メンバＭ２を経過して出力ギヤOutputへ出力される。
【０１５７】
すなわち、２速は、図１８の共線図に示すように、入力軸Inputからの入力回転を第２リングギヤR2への入力回転とする第１クラッチＣ１の締結点と、第４サンギヤS4の回転を停止する第２ブレーキＢ２の締結点と、を結ぶ線にて規定され、入力軸Inputからの入力回転を減速（１速よりも高速）として出力ギヤOutputから出力する。
【０１５８】
この２速でのトルクフローは、図１９（ｂ）に示す通りであり、太線で示す第１クラッチＣ１と第２ブレーキＢ２と各メンバと、ハッチングで示す第２遊星ギヤＧ２にトルクが作用することになる。なお、第３遊星ギヤＧ３については、固定である両サンギヤS3,S4の回りを、非拘束の第３ピニオンP3が第３リングギヤR3の出力回転に伴って公転するだけであり、回転メンバとしては機能するが、トルク伝達には関与しない。
【０１５９】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【０１６０】
この３速では、第１クラッチＣ１の締結により、入力軸Inputからの入力回転が第２リングギヤR2に入力される。同時に、第２クラッチＣ２の締結により、入力軸Inputからの入力回転が第２サンギヤS2に入力される。
【０１６１】
よって、第２遊星ギヤＧ２においては、第２リングギヤR2と第２サンギヤS2とから同一の入力回転が入力されることで、両ギヤR2,S2と一体に回転する第２キャリヤPC2から第２連結メンバＭ２を経過して出力ギヤOutputへ入力回転による回転が出力される。
【０１６２】
すなわち、３速は、図１８の共線図に示すように、入力軸Inputからの入力回転を第２リングギヤR2への入力回転とする第１クラッチＣ１の締結点と、入力軸Inputからの入力回転を第２サンギヤS2への入力回転とする第２クラッチＣ２の締結点と、を結ぶ線にて規定され、入力軸Inputからの入力回転と同じ回転（直結回転）を出力ギヤOutputから出力する。
【０１６３】
この３速でのトルクフローは、図１９（ｃ）に示す通りであり、太線で示す第１クラッチＣ１と第２クラッチＣ２と各メンバと、ハッチングで示す第２遊星ギヤＧ２にトルクが作用することになる。すなわち、第１遊星ギヤＧ１及び第３遊星ギヤＧ３はトルク伝達に何ら関与しない。
【０１６４】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【０１６５】
この４速では、第１クラッチＣ１の締結により、入力軸Inputからの入力回転が第２リングギヤR2に入力される。
【０１６６】
一方、第３遊星ギヤＧ３においては、第３クラッチＣ３の締結により、入力軸Inputからの入力回転を増速した回転がセンターメンバCMを介して第３キャリヤPC3に入力される。このため、第３サンギヤS3の回転は、第３キャリヤPC3の回転よりも増速され、この第３サンギヤS3の増速回転は、第１連結メンバＭ１を介して第２サンギヤS2に伝達される。
【０１６７】
よって、第２遊星ギヤＧ２においては、第２リングギヤR2から入力回転が入力され、第２サンギヤS2から増速回転が入力されることになり、第２リングギヤR2からの入力回転を増速した回転が、第２キャリヤPC2から第２連結メンバＭ２を経過して出力ギヤOutputへ出力される。
【０１６８】
すなわち、４速は、図１８の共線図に示すように、入力軸Inputからの入力回転を第２リングギヤR2への入力回転とする第１クラッチＣ１の締結点と、第３キャリヤPC3への入力回転を第２サンギヤS2への増速回転とする第３クラッチＣ３の締結点と、を結ぶ線にて規定され、入力軸Inputから入力された回転を増速して出力ギヤOutputから出力する。
【０１６９】
この４速でのトルクフローは、図２０（ａ）に示す通りであり、太線で示す第１クラッチＣ１と第３クラッチＣ３と各メンバと、ハッチングで示す第１遊星ギヤＧ１と第２遊星ギヤＧ２と第３遊星ギヤＧ３（第４サンギヤS4を除く）にトルクが作用することになる。
【０１７０】
（５速）
５速は、図２に示すように、４速での第１クラッチＣ１を解放し、第２クラッチＣ２を締結する。つまり、第２クラッチＣ２と第３クラッチＣ３を締結することにより得られる。
【０１７１】
この５速では、第２クラッチＣ２の締結により、入力軸Inputからの入力回転が、第１キャリヤPC1→第２クラッチＣ２→第２サンギヤS2→第１連結メンバＭ１を介して、第３サンギヤS3に入力される。
【０１７２】
一方、第３クラッチＣ３の締結により、入力軸Inputからの入力回転を第１遊星ギヤＧ１にて増速した増速回転が、第１リングギヤR1→第３クラッチＣ３→センターメンバCMを介して第３キャリヤPC3に入力される。
【０１７３】
よって、第３遊星ギヤＧ３においては、第３キャリヤPC3に増速回転が入力され、第３サンギヤS3に入力回転が入力されることになり、入力回転よりも増速した回転が、第２キャリヤPC2から第２連結メンバＭ２を経過して出力ギヤOutputへ出力される。
【０１７４】
すなわち、５速は、図１８の共線図に示すように、第３サンギヤS3の回転を入力回転とする第２クラッチＣ２の締結点と、第３キャリヤPC3の回転を増速回転とする第３クラッチＣ３の締結点と、を結ぶ線にて規定され、入力軸Inputから入力された回転を増速して出力ギヤOutputから出力する。
【０１７５】
この５速でのトルクフローは、図２０（ｂ）に示す通りであり、太線で示す第２クラッチＣ２と第３クラッチＣ３と各メンバと、ハッチングで示す第１遊星ギヤＧ１と第３遊星ギヤＧ３（第４サンギヤS4を除く）にトルクが作用することになる。
【０１７６】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【０１７７】
この６速では、第３クラッチＣ３の締結により、入力軸Inputからの入力回転を第１遊星ギヤＧ１にて増速した増速回転が、第１リングギヤR1→第３クラッチＣ３→センターメンバCMを介して第３キャリヤPC3に入力される。そして、第２ブレーキＢ２の締結により、第３遊星ギヤＧ３の第４サンギヤS4がケースに固定される。
【０１７８】
よって、第３遊星ギヤＧ３においては、第３キャリヤPC3に増速回転が入力され、第４サンギヤS4がケースに固定されることになり、入力回転よりも増速した回転が、第２キャリヤPC2から第２連結メンバＭ２を経過して出力ギヤOutputへ出力される。
【０１７９】
すなわち、６速は、図１８の共線図に示すように、第３キャリヤPC3の回転を増速回転とする第３クラッチＣ３の締結点と、第４サンギヤS4をケースに固定とする第２ブレーキＢ２の締結点と、を結ぶ線にて規定され、入力軸Inputから入力された回転を増速して出力ギヤOutputから出力する。
【０１８０】
この６速でのトルクフローは、図２０（ｃ）に示す通りであり、太線で示す第３クラッチＣ３と第２ブレーキＢ２と各メンバと、ハッチングで示す第１遊星ギヤＧ１と第３遊星ギヤＧ３（第３サンギヤS3を除く）にトルクが作用することになる。
【０１８１】
（後退速）
後退速は、図２に示すように、第２クラッチＣ２と第１ブレーキＢ１を締結することにより得られる。
【０１８２】
この後退速では、第２クラッチＣ２の締結により、入力軸Inputからの入力回転が、第１キャリヤPC1→第２クラッチＣ２→第２サンギヤS2→第１連結メンバＭ１を介して、第３サンギヤS3に入力される。そして、第１ブレーキＢ１の締結により、第３キャリヤPC3がケースに固定される。
【０１８３】
よって、第３遊星ギヤＧ３においては、第３サンギヤS3に入力回転が入力され、第３キャリヤPC3がケースに固定となり、第３リングギヤR3からは、減速した逆回転が、第２連結メンバＭ２を経過して出力ギヤOutputへ出力される。
【０１８４】
すなわち、後退速は、図１８の共線図に示すように、入力軸Inputからの入力回転を第３サンギヤS3への入力回転とする第２クラッチＣ２の締結点と、第３キャリヤPC3の回転を停止する第１ブレーキＢ１の締結点とを結ぶ線にて規定され、入力軸Inputから入力された回転を逆方向に減速して出力ギヤOutputから出力する。
【０１８５】
この後退速でのトルクフローは、図２１に示す通りであり、太線で示す第２クラッチＣ２と第１ブレーキＢ１と各メンバと、ハッチングで示す第３遊星ギヤＧ３（第４サンギヤS4を除く）にトルクが作用することになる。
【０１８６】
次に、効果を説明する。
以上説明したように、第３実施例の自動変速機用歯車変速装置にあっては、第１実施例の(3),(5)の効果に加え、下記に列挙する効果を得ることができる。
【０１８７】
（７）駆動源からの回転を入力する入力軸Ｉｎｐｕｔと、変速された回転を出力する出力ギヤＯｕｔｐｕｔと、三組の遊星ギヤＧ１，Ｇ２，Ｇ３と、複数の回転要素間を一体的に連結する複数のメンバＭ１，Ｍ２と、入力軸Ｉｎｐｕｔ，出力ギヤＯｕｔｐｕｔ，連結メンバＭ１，Ｍ２及び三組の遊星ギヤＧ１，Ｇ２，Ｇ３の各回転要素間に配置され、選択的に断接する３つのクラッチＣ１，Ｃ２，Ｃ３と選択的に固定する２つのブレーキＢ１，Ｂ２と、を備え、前記３つのクラッチＣ１，Ｃ２，Ｃ３と２つのブレーキＢ１，Ｂ２を適宜締結・解放することで、少なくとも前進６速・後退１速を得る変速制御手段を有する自動変速機用歯車変速装置であって、前記三組の遊星ギヤＧ１，Ｇ２，Ｇ３のうち、一組の遊星ギヤＧ１を、入力回転を常時増速する増速装置とし、残り二組の遊星ギヤＧ２，Ｇ３のうち、一組の遊星ギヤＧ３を、２つのサンギヤＳ３，Ｓ４と、該２つのサンギヤＳ３，Ｓ４の各々と噛み合うピニオンＰ３と、前記２つのサンギヤＳ３，Ｓ４間に配置され、かつ、回転を入力又は出力するセンターメンバＣＭを有するキャリヤと、前記ピニオンＰ３に噛み合う１つのリングギヤＲ３と、を有するダブルサンギヤ型遊星ギヤとしたため、二組の遊星ギヤＧ２，Ｇ３にて構成される歯車列の強度的有利性と、二組の遊星ギヤＧ２，Ｇ３にて構成される歯車列の歯車強度や歯車寿命等の有利性と、トルク循環を無くすことでの燃費の向上と、入力軸Ｉｎｐｕｔと出力ギヤＯｕｔｐｕｔの同軸配置と、自動変速機の小型化と、を併せて達成しながら、ラビニオ型複合遊星歯車列を用いる場合に比べてギヤ比の選択自由度を高めることができる。
加えて、一組の遊星ギヤＧ１を、入力回転を常時増速する増速装置としたため、減速装置を設けた第１，２実施例と比較して、変速比幅を高速段側にさらに拡大することができ、ギヤ比の選択自由度がさらに向上し、設計自由度が高まる（請求項２に対応）。
【０１８８】
（８）増速装置である第１遊星ギヤＧ１を、シングルピニオン型遊星ギヤとしたため、ギヤノイズや部分点数が低減できると共に、伝達効率が向上し、さらに、燃費の向上につながる（請求項１２に対応）。
【０１８９】
（９）第１サンギヤＳ１と、第１リングギヤＲ１と、両ギヤＳ１，Ｒ１に噛み合う第１ピニオンＰ１を支持する第１キャリヤＰＣ１と、を有する増速装置であるシングルピニオン型の第１遊星ギヤＧ１と、第２サンギヤＳ２と、第２リングギヤＲ２と、両ギヤＳ２，Ｒ２に噛み合う第２ピニオンＰ２を支持する第２キャリヤＰＣ２と、を有するシングルピニオン型の第２遊星ギヤＧ２と、２つの第３サンギヤＳ３及び第４サンギヤＳ４と、両サンギヤＳ３，Ｓ４の各々に噛み合う第３ピニオンＰ３を支持する第３キャリヤＰＣ３及びセンターメンバＣＭと、前記第３ピニオンＰ３に噛み合う１つの第３リングギヤＲ３と、を有するダブルサンギヤ型の第３遊星ギヤＧ３と、第１キャリヤＰＣ１に連結される入力軸Ｉｎｐｕｔと、第２キャリヤＰＣ２に連結される出力ギヤＯｕｔｐｕｔと、第２サンギヤＳ２と第３サンギヤＳ３とを一体的に連結する第１連結メンバＭ１と、第２キャリヤＰＣ２と第３リングギヤＲ３とを一体的に連結する第２連結メンバＭ２と、第１キャリヤＰＣ１と第２リングギヤＲ２とを選択的に断接する第１クラッチＣ１と、第１キャリヤＰＣ１と第２サンギヤＳ２を選択的に断接する第２クラッチＣ２と、第１リングギヤＲ１とセンターメンバＣＭを選択的に断接する第３クラッチＣ３と、第３キャリヤＰＣ３の回転を選択的に停止させる第１ブレーキＢ１と、第４サンギヤＳ４の回転を選択的に停止させる第２ブレーキＢ２と、前進６速で後退１速を得る変速油圧制御装置を設けたため、１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができる。加えて、２速において、トルク循環が無くなるため、２速の伝達効率が向上し、燃費の向上を図ることができる（請求項５に対応）。
【０１９０】
（第４実施例）
まず、構成を説明する。
【０１９１】
第４実施例は、請求項２，６，１２，１５に記載の発明に対応する自動変速機用歯車変速装置で、図２２は第４実施例の自動変速機用歯車変速装置を示すスケルトン図である。
【０１９２】
図２２において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０１９３】
第４実施例の自動変速機用歯車変速装置（増速シングルタイプ２という）は、図２２の左端部に減速装置としてのシングルピニオン型の第１遊星ギヤＧ１を配置し、中央部にダブルサンギヤ型の第３遊星ギヤＧ３を配置し、右端部にシングルピニオン型の第２遊星ギヤＧ２を配置した例である。そして、前記第２遊星ギヤＧ２と第３遊星ギヤＧ３により、いわゆる、イシマル型遊星歯車列を構成している。
【０１９４】
前記第１遊星ギヤＧ１は、第１サンギヤS1と、第１リングギヤR1と、両ギヤS1,R1に噛み合う第１ピニオンP1を支持する第１キャリヤPC1と、を有する増速装置である。
【０１９５】
前記第２遊星ギヤＧ２は、第２サンギヤS2と、第２リングギヤR2と、両ギヤS2,R2に噛み合う第２ピニオンP2を支持する第２キャリヤPC2と、を有するシングルピニオン型遊星ギヤである。
【０１９６】
前記第３遊星ギヤＧ３は、２つの第３サンギヤS3及び第４サンギヤS4と、両サンギヤS3,S4の各々に噛み合う第３ピニオンP3を支持する第３キャリヤPC3及びセンターメンバCMと、前記第３ピニオンP3に噛み合う１つの第３リングギヤR3と、を有するダブルサンギヤ型遊星ギヤである。
【０１９７】
前記入力軸Inputは、第１キャリヤPC1に連結され、前記出力ギヤOutputは、第２キャリヤPC2に連結される。
【０１９８】
前記第１連結メンバＭ１は、第２サンギヤS2と第３サンギヤS3とを一体的に連結し、また、前記第２連結メンバＭ２は、第２キャリヤPC2と第３リングギヤR3とを一体的に連結する。
【０１９９】
前記第１クラッチＣ１は、第１キャリヤPC1と第２リングギヤR2とを選択的に断接する。前記第２クラッチＣ２は、第１キャリヤPC1と第２サンギヤS2とを選択的に断接する。前記第３クラッチＣ３は、第１リングギヤR1とセンターメンバCMとを選択的に断接する。
【０２００】
前記クラッチＣ１，Ｃ２，Ｃ３と前記ブレーキＢ１，Ｂ２には、第１実施例と同様に、第１クラッチＣ１と第１ブレーキＢ１の締結により１速、第１クラッチＣ１と第２ブレーキＢ２の締結により２速、第１クラッチＣ１と第２クラッチＣ２の締結により３速、第１クラッチＣ１と第３クラッチＣ３の締結により４速、第２クラッチＣ２と第３クラッチＣ３の締結により５速、第３クラッチＣ３と第２ブレーキＢ２の締結により６速、第２クラッチＣ２と第１ブレーキＢ１の締結により後退速とし、前進６速で後退１速を得る変速油圧制御装置が設けられている（図２参照）。
【０２０１】
次に、作用を説明する。
【０２０２】
［変速作用］
図２３〜図２５は第４実施例の自動変速機用歯車変速装置の各変速段でのトルクフローを示す図であり、図２３〜図２５においてクラッチ・ブレーキ・メンバのトルク伝達経路は太線で示し、ギヤのトルク伝達経路はハッチングで示す。
【０２０３】
なお、第４実施例装置での各変速段におけるメンバの回転停止状態を示す共線図は図１８に示す第３実施例装置の共線図と同じであるため図示を省略する。第４実施例装置の締結作動表は、図２に示す第１実施例装置の締結作動表と同じであるため図示を省略する。
【０２０４】
〈１速〉
１速は、図２に示すように、第１クラッチＣ１と第１ブレーキＢ１の締結により得られる。
【０２０５】
この１速でのトルクフローは、図２３（ａ）に示す通りであり、太線で示す第１クラッチＣ１と第１ブレーキＢ１と各メンバと、ハッチングで示す第２遊星ギヤＧ２と第３遊星ギヤＧ３（第４サンギヤS4を除く）にトルクが作用することになる。つまり、１速では、イシマル型遊星歯車列を構成する第２遊星ギヤＧ２と第３遊星ギヤＧ３がトルク伝達に関与する。
【０２０６】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【０２０７】
この２速でのトルクフローは、図２３（ｂ）に示す通りであり、太線で示す第１クラッチＣ１と第２ブレーキＢ２と各メンバと、ハッチングで示す第２遊星ギヤＧ２にトルクが作用することになる。なお、第１遊星ギヤＧ１及び第３遊星ギヤＧ３はトルク伝達に何ら関与しない。
【０２０８】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【０２０９】
この３速でのトルクフローは、図２４（ａ）に示す通りであり、太線で示す第１クラッチＣ１と第２クラッチＣ２と各メンバと、ハッチングで示す第２遊星ギヤＧ２にトルクが作用することになる。すなわち、第１遊星ギヤＧ１及び第３遊星ギヤＧ３はトルク伝達に何ら関与しない。
【０２１０】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【０２１１】
この４速でのトルクフローは、図２４（ｂ）に示す通りであり、太線で示す第１クラッチＣ１と第３クラッチＣ３と各メンバと、ハッチングで示す第１遊星ギヤＧ１と第２遊星ギヤＧ２と第３遊星ギヤＧ３（第４サンギヤS4を除く）にトルクが作用することになる。
【０２１２】
（５速）
５速は、図２に示すように、４速での第１クラッチＣ１を解放し、第２クラッチＣ２を締結する。つまり、第２クラッチＣ２と第３クラッチＣ３を締結することにより得られる。
【０２１３】
この５速でのトルクフローは、図２４（ｃ）に示す通りであり、太線で示す第２クラッチＣ２と第３クラッチＣ３と各メンバと、ハッチングで示す第１遊星ギヤＧ１と第３遊星ギヤＧ３（第４サンギヤS4を除く）にトルクが作用することになる。
【０２１４】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【０２１５】
この６速でのトルクフローは、図２５（ａ）に示す通りであり、太線で示す第３クラッチＣ３と第２ブレーキＢ２と各メンバと、ハッチングで示す第１遊星遊星ギヤＧ１と第３遊星ギヤＧ３（第３サンギヤS3を除く）にトルクが作用することになる。
【０２１６】
（後退速）
後退速は、図２に示すように、第２クラッチＣ２と第１ブレーキＢ１を締結することにより得られる。
【０２１７】
この後退速でのトルクフローは、図２５（ｂ）に示す通りであり、太線で示す第２クラッチＣ２と第１ブレーキＢ１と各メンバと、ハッチングで示す第３遊星ギヤＧ３（第３サンギヤS3を除く）にトルクが作用することになる。
【０２１８】
次に、効果を説明する。
以上説明したように、第４実施例の自動変速機用歯車変速装置にあっては、第１実施例の(3),(5)及び第３実施例の(7),(8)の効果に加え、下記の効果を得ることができる。
【０２１９】
（１０）第１サンギヤＳ１と、第１リングギヤＲ１と、両ギヤＳ１，Ｒ１に噛み合う第１ピニオンＰ１を支持する第１キャリヤＰＣ１と、を有する増速装置であるシングルピニオン型の第１遊星ギヤＧ１と、第２サンギヤＳ２と、第２リングギヤＲ２と、両ギヤＳ２，Ｒ２に噛み合う第２ピニオンＰ２を支持する第２キャリヤＰＣ２と、を有するシングルピニオン型の第２遊星ギヤＧ２と、２つの第３サンギヤＳ３及び第４サンギヤＳ４と、両サンギヤＳ３，Ｓ４の各々に噛み合う第３ピニオンＰ３を支持するセンターメンバＣＭと、前記第３ピニオンＰ３に噛み合う１つの第３リングギヤＲ３と、を有するダブルサンギヤ型の第３遊星ギヤＧ３と、第１キャリヤＰＣ１に連結される入力軸Ｉｎｐｕｔと、第２キャリヤＰＣ２に連結される出力ギヤＯｕｔｐｕｔと、第２サンギヤＳ２と第３サンギヤＳ３とを一体的に連結する第１連結メンバＭ１と、第２キャリヤＰＣ２と第３リングギヤＲ３とを一体的に連結する第２連結メンバＭ２と、第１キャリヤＰＣ１と第２リングギヤＲ２とを選択的に断接する第１クラッチＣ１と、第１キャリヤＰＣ１と第２サンギヤＳ２を選択的に断接する第２クラッチＣ２と、第１リングギヤＲ１とセンターメンバＣＭを選択的に断接する第３クラッチＣ３と、センターメンバＣＭの回転を選択的に停止させる第１ブレーキＢ１と、第２サンギヤＳ２の回転を選択的に停止させる第２ブレーキＢ２と、前進６速で後退１速を得る変速油圧制御装置と、を設けたため、１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができる。加えて、２速において、トルク循環が無くなるため、２速の伝達効率が向上し、燃費の向上を図ることができる。
しかも、第２遊星ギヤＧ２の第２サンギヤＳ２が、第３，第４サンギヤＳ３，Ｓ４を経由せず、直接、第２ブレーキＢ２により固定されるため、第３実施例の増速シングルピニオンタイプ１よりも、歯車の伝達効率が高く、燃費の向上に寄与する（請求項６に対応）。
【０２２０】
（第５実施例）
第５実施例は、請求項１，７，１１，１５に記載の発明に対応する自動変速機用歯車変速装置である。以下、タイプが異なる第５実施例−１と第５実施例−２と第５実施例−３について説明する。
【０２２１】
＊第５実施例-1
まず、構成を説明する。
【０２２２】
図２６は第５実施例-1の自動変速機用歯車変速装置を示すスケルトン図で、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０２２３】
第５実施例-1の自動変速機用歯車変速装置（減速ダブルタイプ１という）は、図２６の左端部に減速装置としてのダブルピニオン型の第１遊星ギヤＧ１を配置し、中央部にシングルピニオン型の第２遊星ギヤＧ２を配置し、右端部にダブルサンギヤ型の第３遊星ギヤＧ３を配置した例である。そして、前記第２遊星ギヤＧ２と第３遊星ギヤＧ３により、いわゆる、イシマル型遊星歯車列を構成している。
【０２２４】
前記第１遊星ギヤＧ１は、第１サンギヤS1と、第１リングギヤR1と、両ギヤS1,R1に噛み合う第１ダブルピニオンP1を支持する第１キャリヤPC1と、を有する減速装置としてのダブルピニオン型遊星ギヤである。
【０２２５】
前記第２遊星ギヤＧ２は、第２サンギヤS2と、第２リングギヤR2と、両ギヤS2,R2に噛み合う第２ピニオンP2を支持する第２キャリヤPC2と、を有するシングルピニオン型遊星ギヤである。
【０２２６】
前記第３遊星ギヤＧ３は、２つの第３サンギヤS3及び第４サンギヤS4と、第３及び第４サンギヤＳ３，Ｓ４の各々に噛み合う第３ピニオンP3と、この第３ピニオンP3を支持する軸方向の第３キャリヤPC3と、該第３キャリヤPC3に接続され、前記両サンギヤＳ３，Ｓ４の間に配置されるセンターメンバCMと、前記第３ピニオンP3に噛み合う１つの第３リングギヤR3と、を有するダブルサンギヤ型遊星ギヤである。
【０２２７】
前記入力軸Inputは、第１キャリヤPC1に連結され、駆動源である図外のエンジンからの回転駆動力を、トルクコンバータ等を介して入力する。
【０２２８】
前記出力ギヤOutputは、第２キャリヤPC2に連結され、出力回転駆動力を図外のファイナルギヤ等を介して駆動輪に伝達する。
【０２２９】
前記第１連結メンバＭ１は、第２サンギヤS2と第３サンギヤS3とを一体的に連結する。前記第２連結メンバＭ２は、第２キャリヤPC2と第３リングギヤR3とを一体的に連結する。
【０２３０】
前記第１クラッチＣ１は、第１リングギヤR1と第２リングギヤR2とを選択的に断接するクラッチである。前記第２クラッチＣ２は、第１リングギヤR1と第２サンギヤS2とを選択的に断接するクラッチである。前記第３クラッチＣ３は、入力軸InputとセンターメンバCMとを選択的に断接するクラッチである。
【０２３１】
前記第１ブレーキＢ１は、第３キャリヤPC3の回転を選択的に停止させるブレーキである。前記第２ブレーキＢ２は、第４サンギヤS4の回転を選択的に停止させるブレーキである。
【０２３２】
前記各クラッチＣ１，Ｃ２，Ｃ３及びブレーキＢ１，Ｂ２には、図２の締結作動表に示すように、各変速段にて締結圧（○印）や解放圧（無印）を作り出す図外の変速油圧制御装置（変速制御手段）が接続されている。なお、変速油圧制御装置としては、油圧制御タイプ，電子制御タイプ，油圧＋電子制御タイプ等が採用される。
【０２３３】
次に、作用を説明する。
【０２３４】
［変速作用］
図２７は第５実施例の自動変速機用歯車変速装置において各変速段におけるメンバの回転停止状態を示す共線図、図２８〜図３０は第５実施例-1の自動変速機用歯車変速装置の各変速段でのトルクフローを示す図である。
【０２３５】
なお、図２８〜図３０においてクラッチ・ブレーキ・メンバのトルク伝達経路は太線で示し、ギヤのトルク伝達経路はハッチングで示す。
【０２３６】
〈１速〉
１速は、図２に示すように、第１クラッチＣ１と第１ブレーキＢ１の締結により得られる。
【０２３７】
この１速では、第２遊星ギヤＧ２において、第１クラッチＣ１の締結により、第１遊星ギヤＧ１により減速された入力回転が第２遊星ギヤＧ２の第２リングギヤR2に入力される。
【０２３８】
一方、第３遊星ギヤＧ３においては、第１ブレーキＢ１の締結により、第３キャリヤPC3がケースに固定される。このため、第３遊星ギヤＧ３は、リングギヤ入力でキャリヤ固定の状態となり、第３サンギヤS3は回転方向が逆方向で減速された回転となる。この第３サンギヤS3の逆方向の減速回転は、第１連結メンバＭ１を介して第２サンギヤS2に伝達される。
【０２３９】
よって、第２遊星ギヤＧ２においては、第２リングギヤR2から正方向の減速回転が入力され、第２サンギヤS2から逆方向の減速回転が入力されることになり、第２リングギヤR2からの減速回転をさらに減速した回転が、第２キャリヤPC2から第２連結メンバＭ２を経過して出力ギヤOutputへ出力される。
【０２４０】
すなわち、１速は、図２７の共線図に示すように、第１遊星ギヤＧ１からの減速回転を第２リングギヤR2への入力回転とする第１クラッチＣ１の締結点と、第３キャリヤPC3の回転を停止する第１ブレーキＢ１の締結点とを結ぶ線にて規定され、入力軸Inputから入力された回転を減速して出力ギヤOutputから出力する。
【０２４１】
この１速でのトルクフローは、図２８（ａ）に示す通りであり、太線で示す第１クラッチＣ１と第１ブレーキＢ１と各メンバと、ハッチングで示す第１遊星ギヤＧ１と第２遊星ギヤＧ２と第３遊星ギヤＧ３（第４サンギヤS4を除く）にトルクが作用することになる。つまり、１速では、第１遊星ギヤＧ１と、イシマル型遊星歯車列を構成する第２遊星ギヤＧ２と第３遊星ギヤＧ３とがトルク伝達に関与する。
【０２４２】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【０２４３】
この２速では、第２遊星ギヤＧ２において、第１クラッチＣ１の締結により、第１遊星ギヤＧ１により減速された入力回転が第２遊星ギヤＧ２の第２リングギヤR2に入力される。
【０２４４】
一方、第３遊星ギヤＧ３においては、第２ブレーキＢ２の締結により、第４サンギヤS4がケースに固定される。このため、第３ピニオンP3により連結されている第３サンギヤS3が固定され、第１連結メンバＭ１を介して第３サンギヤS3と連結される第２サンギヤS2がケースに固定される。
【０２４５】
よって、第２遊星ギヤＧ２においては、第２リングギヤR2から正方向の減速回転が入力され、第２サンギヤS2が固定されることになり、第２リングギヤR2からの減速回転をさらに減速した回転が、第２キャリヤPC2から第２連結メンバＭ２を経過して出力ギヤOutputへ出力される。
【０２４６】
すなわち、２速は、図２７の共線図に示すように、第１遊星ギヤＧ１からの減速回転を第２リングギヤR2への入力回転とする第１クラッチＣ１の締結点と、第４サンギヤS4の回転を停止する第２ブレーキＢ２の締結点と、を結ぶ線にて規定され、入力軸Inputから入力された回転を減速（１速よりも高速）として出力ギヤOutputから出力する。
【０２４７】
この２速でのトルクフローは、図２８（ｂ）に示す通りであり、太線で示す第１クラッチＣ１と第２ブレーキＢ２と各メンバと、ハッチングで示す第１遊星ギヤＧ１及び第２遊星ギヤＧ２にトルクが作用することになる。なお、第３遊星ギヤＧ３については、固定である両サンギヤS3,S4の回りを、非拘束の第３ピニオンP3が第３リングギヤR3の出力回転に伴って公転するだけであり、トルク伝達には関与しない。
【０２４８】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【０２４９】
この３速では、第２遊星ギヤＧ２において、第１クラッチＣ１の締結により、第１遊星ギヤＧ１により減速された入力回転が第２遊星ギヤＧ２の第２リングギヤR2に入力される。同時に、第２クラッチＣ２の締結により、第１遊星ギヤＧ１により減速された入力回転が第２遊星ギヤＧ２の第２サンギヤS2に入力される。
【０２５０】
よって、第２遊星ギヤＧ２においては、第２リングギヤR2と第２サンギヤS2とから同一の減速回転が入力されることで、両ギヤR2,S2と一体に回転する第２キャリヤPC2から第２連結メンバＭ２を経過して出力ギヤOutputへ減速回転（＝第１遊星ギヤＧ１の減速回転）が出力される。
【０２５１】
すなわち、３速は、図２７の共線図に示すように、第１遊星ギヤＧ１からの減速回転を第２リングギヤR2への入力回転とする第１クラッチＣ１の締結点と、第１遊星ギヤＧ１からの減速回転を第２サンギヤS2への入力回転とする第２クラッチＣ２の締結点と、を結ぶ線にて規定され、入力軸Inputから入力された回転を減速（＝第１遊星ギヤＧ１の減速比）して出力ギヤOutputから出力する。
【０２５２】
この３速でのトルクフローは、図２８（ｃ）に示す通りであり、太線で示す第１クラッチＣ１と第２クラッチＣ２と各メンバと、ハッチングで示す第１遊星ギヤＧ１及び第２遊星ギヤＧ２にトルクが作用することになる。すなわち、第３遊星ギヤＧ３はトルク伝達に何ら関与しない。
【０２５３】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【０２５４】
この４速では、第２遊星ギヤＧ２において、第１クラッチＣ１の締結により、第１遊星ギヤＧ１により減速された入力回転が第２遊星ギヤＧ２の第２リングギヤR2に入力される。
【０２５５】
一方、第３遊星ギヤＧ３においては、第３クラッチＣ３の締結により、入力軸Inputからの入力回転がセンターメンバCMを介して第３キャリヤPC3に入力される。このため、第３サンギヤS3の回転が入力回転よりも増速され、この第３サンギヤS3の増速回転は、第１連結メンバＭ１を介して第２サンギヤS2に伝達される。
【０２５６】
よって、第２遊星ギヤＧ２においては、第２リングギヤR2から減速回転が入力され、第２サンギヤS2から増速回転が入力されることになり、第２リングギヤR2からの減速回転を増速した回転（入力回転よりも低回転）が、第２キャリヤPC2から第２連結メンバＭ２を経過して出力ギヤOutputへ出力される。
【０２５７】
すなわち、４速は、図２７の共線図に示すように、第１遊星ギヤＧ１からの減速回転を第２リングギヤR2への入力回転とする第１クラッチＣ１の締結点と、第３キャリヤPC3の回転を入力回転とする第３クラッチＣ３の締結点と、を結ぶ線にて規定され、入力軸Inputから入力された回転を僅かに減速して出力ギヤOutputから出力する。
【０２５８】
この４速でのトルクフローは、図２９（ａ）に示す通りであり、太線で示す第１クラッチＣ１と第３クラッチＣ３と各メンバと、ハッチングで示す第１遊星ギヤＧ１と第２遊星ギヤＧ２と第３遊星ギヤＧ３（第４サンギヤS4を除く）にトルクが作用することになる。
【０２５９】
（５速）
５速は、図２に示すように、４速での第１クラッチＣ１を解放し、第２クラッチＣ２を締結する。つまり、第２クラッチＣ２と第３クラッチＣ３を締結することにより得られる。
【０２６０】
この５速では、第２クラッチＣ２の締結により、第１遊星ギヤＧ１からの減速回転が、第２遊星ギヤＧ２の第２サンギヤS2と第１連結メンバＭ１を介し、第３サンギヤS3に入力される。同時に、第３クラッチＣ３の締結により、入力軸Inputからの入力回転がセンターメンバCMを介して第３キャリヤPC3に入力される。
【０２６１】
よって、第３遊星ギヤＧ３においては、第３キャリヤPC3に入力回転が入力され、第３サンギヤS3に第１遊星ギヤＧ１からの減速回転が入力されることになり、入力回転よりも増速した回転が、第３リングギヤR3から第２連結メンバＭ２を経過して出力ギヤOutputへ出力される。
【０２６２】
すなわち、５速は、図２７の共線図に示すように、第１遊星ギヤＧ１からの減速回転を第３サンギヤS3への入力回転とする第２クラッチＣ２の締結点と、第３キャリヤPC3の回転を入力回転とする第３クラッチＣ３の締結点と、を結ぶ線にて規定され、入力軸Inputから入力された回転を僅かに増速して出力ギヤOutputから出力する。
【０２６３】
この５速でのトルクフローは、図２９（ｂ）に示す通りであり、太線で示す第２クラッチＣ２と第３クラッチＣ３と各メンバと、ハッチングで示す第１遊星ギヤＧ１と第３遊星ギヤＧ３（第４サンギヤS4を除く）にトルクが作用することになる。
【０２６４】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【０２６５】
この６速では、第３クラッチＣ３の締結により、入力軸Inputからの入力回転が第３遊星ギヤＧ３のセンターメンバCMを介して第３キャリヤPC3に入力される。また、第２ブレーキＢ２の締結により、第３遊星ギヤＧ３の第４サンギヤS4がケースに固定される。
【０２６６】
よって、第３遊星ギヤＧ３においては、第３キャリヤPC3に入力回転が入力され、第４サンギヤS4がケースに固定されることになり、入力軸Inputからの入力回転よりも増速した回転が、第２キャリヤPC2から第２連結メンバＭ２を経過して出力ギヤOutputへ出力される。
【０２６７】
すなわち、６速は、図２７の共線図に示すように、第３キャリヤPC3の回転を入力回転とする第３クラッチＣ３の締結点と、第４サンギヤS4をケースに固定とする第２ブレーキＢ２の締結点と、を結ぶ線にて規定され、入力軸Inputから入力された回転を増速して出力ギヤOutputから出力する。
【０２６８】
この６速でのトルクフローは、図２９（ｃ）に示す通りであり、太線で示す第３クラッチＣ３と第２ブレーキＢ２と各メンバと、ハッチングで示す第３遊星ギヤＧ３（第３サンギヤS3を除く）にトルクが作用することになる。
【０２６９】
（後退速）
後退速は、図２に示すように、第２クラッチＣ２と第１ブレーキＢ１を締結することにより得られる。
【０２７０】
この後退速では、第２クラッチＣ２の締結により、第１遊星ギヤＧ１の第１リングギヤR1からの減速回転が、第２遊星ギヤＧ２の第２サンギヤS2と第１連結メンバＭ１を介し、第３サンギヤS3に入力される。一方、第１ブレーキＢ１の締結により、第３キャリヤPC3がケースに固定される。
【０２７１】
よって、第３遊星ギヤＧ３においては、第３サンギヤS3に正方向の減速回転が入力され、第３キャリヤPC3がケースに固定となり、第３リングギヤR3からは、減速した逆回転が、第２連結メンバＭ２を経過して出力ギヤOutputへ出力される。
【０２７２】
すなわち、後退速は、図２７の共線図に示すように、第１遊星ギヤＧ１からの減速回転を第３サンギヤS3への入力回転とする第２クラッチＣ２の締結点と、第３キャリヤPC3の回転を停止する第１ブレーキＢ１の締結点とを結ぶ線にて規定され、入力軸Inputから入力された回転を逆方向に減速して出力ギヤOutputから出力する。
【０２７３】
この後退速でのトルクフローは、図３０に示す通りであり、太線で示す第２クラッチＣ２と第１ブレーキＢ１と各メンバと、ハッチングで示す第１遊星ギヤＧ１と第３遊星ギヤＧ３（第４サンギヤS4を除く）にトルクが作用することになる。
【０２７４】
＊第５実施例-2
まず、構成を説明する。
【０２７５】
図３１は第５実施例-2の自動変速機用歯車変速装置を示すスケルトン図で、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０２７６】
第５実施例-2の自動変速機用歯車変速装置（減速ダブルタイプ２という）は、図３１の左端部に減速装置としてのダブルピニオン型の第１遊星ギヤＧ１を配置し、中央部にシングルピニオン型の第２遊星ギヤＧ２を配置し、右端部にダブルサンギヤ型の第３遊星ギヤＧ３を配置した例である。そして、前記第２遊星ギヤＧ２と第３遊星ギヤＧ３により、いわゆる、イシマル型遊星歯車列を構成している。
【０２７７】
第５実施例-2の自動変速機用歯車変速装置（減速ダブルタイプ２）の第１遊星ギヤＧ１と第２遊星ギヤＧ２と第３遊星ギヤＧ３との配置関係は、減速ダブルタイプ１の配置関係と同じである。そして、第１クラッチＣ１を第１遊星ギヤＧ１と第２遊星ギヤＧ２との間に配置し、第２クラッチＣ２と第３クラッチＣ３と第１ブレーキＢ１と第２ブレーキＢ２を第２遊星ギヤＧ２と第３遊星ギヤＧ３との間に配置し、第３遊星ギヤＧ３の外側にはクラッチ・ブレーキを何も配置しないことで、出力部を、入力軸Inputと同軸の出力軸Outputとした点である。なお、他の構成は、減速ダブルタイプ１と同様であるので説明を省略する。
【０２７８】
また、図３２〜図３４は第５実施例-2の自動変速機用歯車変速装置の各変速段でのトルクフローを示す図である。この図３２〜図３４においてクラッチ・ブレーキ・メンバのトルク伝達経路は太線で示し、ギヤのトルク伝達経路はハッチングで示す。各変速段でのトルクフローは、減速ダブルタイプ１と同様であるので説明を省略する。
【０２７９】
＊第５実施例-3
まず、構成を説明する。
【０２８０】
図３５は第５実施例-3の自動変速機用歯車変速装置を示すスケルトン図で、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０２８１】
第５実施例-3の自動変速機用歯車変速装置（減速ダブルタイプ３という）は、図３５の左端部に減速装置としてのダブルピニオン型の第１遊星ギヤＧ１を配置し、中央部にダブルサンギヤ型の第３遊星ギヤＧ３を配置し、右端部にシングルピニオン型の第２遊星ギヤＧ２を配置した例である。そして、前記第２遊星ギヤＧ２と第３遊星ギヤＧ３により、いわゆる、イシマル型遊星歯車列を構成している。
【０２８２】
第５実施例-2の自動変速機用歯車変速装置（減速ダブルタイプ３）の第１遊星ギヤＧ１と第２遊星ギヤＧ２と第３遊星ギヤＧ３との配置関係は、第２遊星ギヤＧ２と第３遊星ギヤＧ３とを入れ替えた点で減速ダブルタイプ１と配置関係が異なる。そして、第３クラッチＣ３と第１ブレーキＢ１と第２ブレーキＢ２を第１遊星ギヤＧ１と第３遊星ギヤＧ３との間に配置し、第３遊星ギヤＧ３と第２遊星ギヤＧ２との間にはクラッチ・ブレーキを何も配置せず、第１クラッチＣ１と第２クラッチＣ２を、第２遊星ギヤＧ２の外側に配置することで、出力部を、入力軸Inputと同軸の出力軸Outputとした点である。なお、他の構成は、減速ダブルタイプ１と同様であるので説明を省略する。
【０２８３】
また、図３６〜図３８は第５実施例-3の自動変速機用歯車変速装置の各変速段でのトルクフローを示す図である。この図３６〜図３８においてクラッチ・ブレーキ・メンバのトルク伝達経路は太線で示し、ギヤのトルク伝達経路はハッチングで示す。各変速段でのトルクフローは、減速ダブルタイプ１と同様であるので説明を省略する。
【０２８４】
次に、効果を説明する。
以上説明したように、第５実施例の自動変速機用歯車変速装置にあっては、第１実施例の(1),(3),(5)の効果に加え、下記の効果を得ることができる。
【０２８５】
(11) 減速装置の一組の第１遊星ギヤＧ１を、ダブルピニオン型遊星ギヤとしたため、レイアウト自由度を高めることができる。
【０２８６】
すなわち、出力部として、減速ダブルタイプ１に示すように出力ギヤOutputとする以外に、減速ダブルタイプ２，３に示すように入力軸Inputの反対側に同軸配置に出力軸Outputを配置することが可能であり、フロントエンジン・フロントドライブ車（ＦＦ車）の自動変速機に適しているレイアウトを得ることができると共に、フロントエンジン・リヤドライブ車（ＦＲ車）の自動変速機に適しているレイアウトを得ることができる。
【０２８７】
（１２）第１サンギヤＳ１と、第１リングギヤＲ１と、両ギヤＳ１，Ｒ１に噛み合う第１ダブルピニオンＰ１を支持する第１キャリヤＰＣ１と、を有する減速装置であるダブルピニオン型の第１遊星ギヤＧ１と、第２サンギヤＳ２と、第２リングギヤＲ２と、両ギヤＳ２，Ｒ２に噛み合う第２ピニオンＰ２を支持する第２キャリヤＰＣ２と、を有するシングルピニオン型の第２遊星ギヤＧ２と、２つの第３サンギヤＳ３及び第４サンギヤＳ４と、両サンギヤＳ３，Ｓ４の各々に噛み合う第３ピニオンＰ３を支持する第３キャリヤＰＣ３及びセンターメンバＣＭと、前記第３ピニオンＰ３に噛み合う１つの第３リングギヤＲ３と、を有するダブルサンギヤ型の第３遊星ギヤＧ３と、第１キャリヤＰＣ１に連結される入力軸Ｉｎｐｕｔと、第２キャリヤＰＣ２に連結される出力ギヤまたは出力軸Ｏｕｔｐｕｔと、第２サンギヤＳ２と第３サンギヤＳ３とを一体的に連結する第１連結メンバＭ１と、第２キャリヤＰＣ３と第３リングギヤＲ３とを一体的に連結する第２連結メンバＭ２と、第１リングギヤＲ１と第２リングギヤＲ２とを選択的に断接する第１クラッチＣ１と、第１リングギヤＲ１と第２サンギヤＳ２とを選択的に断接する第２クラッチＣ２と、入力軸ＩｎｐｕｔとセンターメンバＣＭとを選択的に断接する第３クラッチＣ３と、第３キャリヤＰＣ３の回転を選択的に停止させる第１ブレーキＢ１と、第４サンギヤＳ４の回転を選択的に停止させる第２ブレーキＢ２と、前進６速で後退１速を得る変速油圧制御装置と、を設けたため、１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができる。加えて、２速において、トルク循環が無くなるため、２速の伝達効率が向上し、燃費の向上を図ることができる（請求項７に対応）。
【０２８８】
（第６実施例）
まず、構成を説明する。
【０２８９】
第６実施例は、請求項１，８，１１，１５に記載の発明に対応する自動変速機用歯車変速装置で、図３９は第６実施例の自動変速機用歯車変速装置を示すスケルトン図である。
【０２９０】
図３９において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０２９１】
第６実施例の自動変速機用歯車変速装置（減速ダブルタイプ４という）は、図３９の左端部に減速装置としてのダブルピニオン型の第１遊星ギヤＧ１を配置し、中央部にダブルサンギヤ型の第２遊星ギヤＧ２を配置し、右端部にシングルピニオン型の第３遊星ギヤＧ３を配置した例である。そして、前記第２遊星ギヤＧ２と第３遊星ギヤＧ３により、いわゆる、イシマル型遊星歯車列を構成している。
【０２９２】
前記第１遊星ギヤＧ１は、第１サンギヤS1と、第１リングギヤR1と、両ギヤS1,R1に噛み合う第１ダブルピニオンP1を支持する第１キャリヤPC1と、を有する減速装置であるダブルピニオン型遊星ギヤである。
【０２９３】
前記第２遊星ギヤＧ２は、２つの第２サンギヤS2及び第４サンギヤS4と、両サンギヤS2,S4の各々に噛み合う第２ピニオンP2を支持する第２キャリヤPC2及びセンターメンバCMと、前記第２ピニオンP2に噛み合う１つの第２リングギヤR2と、を有するダブルサンギヤ型遊星ギヤである。
【０２９４】
前記第３遊星ギヤＧ３は、第３サンギヤS3と、第３リングギヤR3と、両ギヤS3,R3に噛み合う第３ピニオンP3を支持する第３キャリヤPC3と、を有するシングルピニオン型遊星ギヤである。
【０２９５】
前記入力軸Inputは、第１キャリヤPC1に連結され、前記出力軸Outputは、センターメンバCMに連結される。
【０２９６】
前記第１連結メンバＭ１は、第２サンギヤS2と第３サンギヤS3とを一体的に連結し、前記第２連結メンバＭ２は、第２キャリヤPC2と第３リングギヤR2とを一体的に連結する。
【０２９７】
前記第１クラッチＣ１は、第１リングギヤR1と第２リングギヤR2とを選択的に断接する。前記第２クラッチＣ２は、第１リングギヤR1と第４サンギヤS4とを選択的に断接する。前記第３クラッチＣ３は、入力軸Inputと第３キャリヤPC3とを選択的に断接する。
【０２９８】
前記第１ブレーキＢ１は、第３キャリヤPC3の回転を選択的に停止させる。前記第２ブレーキＢ２は、第３サンギヤS3の回転を選択的に停止させる。
【０２９９】
前記クラッチＣ１，Ｃ２，Ｃ３と前記ブレーキＢ１，Ｂ２には、第１実施例と同様に、第１クラッチＣ１と第１ブレーキＢ１の締結により１速、第１クラッチＣ１と第２ブレーキＢ２の締結により２速、第１クラッチＣ１と第２クラッチＣ２の締結により３速、第１クラッチＣ１と第３クラッチＣ３の締結により４速、第２クラッチＣ２と第３クラッチＣ３の締結により５速、第３クラッチＣ３と第２ブレーキＢ２の締結により６速、第２クラッチＣ２と第１ブレーキＢ１の締結により後退速とし、前進６速で後退１速を得る変速油圧制御装置が設けられている（図２参照）。
【０３００】
次に、作用を説明する。
【０３０１】
［変速作用］
図４０〜図４２は第６実施例の自動変速機用歯車変速装置の各変速段でのトルクフローを示す図であり、図４０〜図４２においてクラッチ・ブレーキ・メンバのトルク伝達経路は太線で示し、ギヤのトルク伝達経路はハッチングで示す。
【０３０２】
なお、第６実施例装置での各変速段におけるメンバの回転停止状態を示す共線図は図２７に示す第５実施例装置の共線図と同じであるため図示を省略する。第６実施例装置の締結作動表は、図２に示す第１実施例装置の締結作動表と同じであるため図示を省略する。
【０３０３】
〈１速〉
１速は、図２に示すように、第１クラッチＣ１と第１ブレーキＢ１の締結により得られる。
【０３０４】
この１速でのトルクフローは、図４０（ａ）に示す通りであり、太線で示す第１クラッチＣ１と第１ブレーキＢ１と各メンバと、ハッチングで示す第１遊星ギヤＧ１と第２遊星ギヤＧ２と第３遊星ギヤＧ３（第４サンギヤS4を除く）にトルクが作用することになる。つまり、１速では、第１遊星ギヤＧ１と、イシマル型遊星歯車列を構成する第２遊星ギヤＧ２と第３遊星ギヤＧ３とがトルク伝達に関与する。
【０３０５】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【０３０６】
この２速でのトルクフローは、図４０（ｂ）に示す通りであり、太線で示す第１クラッチＣ１と第２ブレーキＢ２と各メンバと、ハッチングで示す第１遊星ギヤＧ１及び第２遊星ギヤＧ２（第４サンギヤS4を除く）にトルクが作用することになる。
【０３０７】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【０３０８】
この３速でのトルクフローは、図４１（ａ）に示す通りであり、太線で示す第１クラッチＣ１と第２クラッチＣ２と各メンバと、ハッチングで示す第１遊星ギヤＧ１及び第２遊星ギヤＧ２（第２サンギヤS2を除く）にトルクが作用することになる。すなわち、第３遊星ギヤＧ３はトルク伝達に何ら関与しない。
【０３０９】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【０３１０】
この４速でのトルクフローは、図４１（ｂ）に示す通りであり、太線で示す第１クラッチＣ１と第３クラッチＣ３と各メンバと、ハッチングで示す第１遊星ギヤＧ１と第２遊星ギヤＧ２（第４サンギヤS4を除く）と第３遊星ギヤＧ３にトルクが作用することになる。
【０３１１】
（５速）
５速は、図２に示すように、４速での第１クラッチＣ１を解放し、第２クラッチＣ２を締結する。つまり、第２クラッチＣ２と第３クラッチＣ３を締結することにより得られる。
【０３１２】
この５速でのトルクフローは、図４１（ｃ）に示す通りであり、太線で示す第２クラッチＣ２と第３クラッチＣ３と各メンバと、ハッチングで示す第１遊星ギヤＧ１と第３遊星ギヤＧ３にトルクが作用することになる。すなわち、第２遊星ギヤＧ２はトルク伝達に何ら関与しない。
【０３１３】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【０３１４】
この６速でのトルクフローは、図４２（ａ）に示す通りであり、太線で示す第３クラッチＣ３と第２ブレーキＢ２と各メンバと、ハッチングで示す第３遊星ギヤＧ３にトルクが作用することになる。
【０３１５】
（後退速）
後退速は、図２に示すように、第２クラッチＣ２と第１ブレーキＢ１を締結することにより得られる。
【０３１６】
この後退速でのトルクフローは、図４２（ｂ）に示す通りであり、太線で示す第２クラッチＣ２と第１ブレーキＢ１と各メンバと、ハッチングで示す第１遊星ギヤＧ１と第２遊星ギヤＧ２と第３遊星ギヤＧ３にトルクが作用することになる。
【０３１７】
次に、効果を説明する。
以上説明したように、第６実施例の自動変速機用歯車変速装置にあっては、第１実施例の(1),(3),(5)の効果、第５実施例の(11)の効果に加え、下記の効果を得ることができる。
【０３１８】
（１３）第１サンギヤＳ１と、第１リングギヤＲ１と、両ギヤＳ１，Ｒ１に噛み合う第１ダブルピニオンＰ１を支持する第１キャリヤＰＣ１と、を有する減速装置であるダブルピニオン型の第１遊星ギヤＧ１と、２つの第２サンギヤＳ２及び第４サンギヤＳ４と、両サンギヤＳ２，Ｓ４の各々に噛み合う第２ピニオンＰ２を支持する第２キャリヤＰＣ２及びセンターメンバＣＭと、前記第２ピニオンＰ２に噛み合う１つの第２リングギヤＲ２と、を有するダブルサンギヤ型の第２遊星ギヤＧ２と、第３サンギヤＳ３と、第３リングギヤＲ３と、両ギヤＳ３，Ｒ３に噛み合う第３ピニオンＰ３を支持する第３キャリヤＰＣ３と、を有するシングルピニオン型の第３遊星ギヤＧ３と、第１キャリヤＰＣ１に連結される入力軸Ｉｎｐｕｔと、センターメンバＣＭに連結される出力軸Ｏｕｔｐｕｔと、第２サンギヤＳ２と第３サンギヤＳ３とを一体的に連結する第１連結メンバＭ１と、第２キャリヤＰＣ２と第３リングギヤＲ２とを一体的に連結する第２連結メンバＭ２と、第１リングギヤＲ１と第２リングギヤＲ２とを選択的に断接する第１クラッチＣ１と、第１リングギヤＲ１と第４サンギヤＳ４とを選択的に断接する第２クラッチＣ２と、入力軸Ｉｎｐｕｔと第３キャリヤＰＣ３とを選択的に断接する第３クラッチＣ３と、第３キャリヤＰＣ３の回転を選択的に停止させる第１ブレーキＢ１と、第３サンギヤＳ３の回転を選択的に停止させる第２ブレーキＢ２と、前進６速で後退１速を得る変速油圧制御装置と、を設けたため、下記に列挙する特有の効果を得ることができる（請求項８に対応）。
(i)１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができる。
(ii)２速において、トルク循環が無くなるため、２速の伝達効率が向上し、燃費の向上を図ることができる。
(iii)ＦＲ車の自動変速機に適用するにあたって、ダブルサンギヤ型の第２遊星ギヤＧ２の内側を通るメンバの数を１つにしたレイアウトに設定することができ、イシマル型遊星歯車列を小型化することが可能であり、変速装置のコンパクト化が達成できる。
(iv)６速においてシングルピニオン型の第３遊星ギヤＧ３でトルクを伝達するので、ギヤ噛み合い率が向上し、振動騒音上有利となる。
【０３１９】
（第７実施例）
まず、構成を説明する。
【０３２０】
第７実施例は、請求項２，９，１３，１５に記載の発明に対応する自動変速機用歯車変速装置で、図４３は第７実施例の自動変速機用歯車変速装置を示すスケルトン図である。
【０３２１】
図４３において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０３２２】
第７実施例の自動変速機用歯車変速装置（増速ダブルタイプ１という）は、図４３の左端部に増速装置としてのダブルピニオン型の第１遊星ギヤＧ１を配置し、中央部にダブルサンギヤ型の第２遊星ギヤＧ２を配置し、右端部にシングルピニオン型の第３遊星ギヤＧ３を配置した例である。そして、前記第２遊星ギヤＧ２と第３遊星ギヤＧ３により、いわゆる、イシマル型遊星歯車列を構成している。
【０３２３】
前記第１遊星ギヤＧ１は、第１サンギヤS1と、第１リングギヤR1と、両ギヤS1,R1に噛み合う第１ダブルピニオンP1を支持する第１キャリヤPC1と、を有する増速装置であるダブルピニオン型遊星ギヤである。
【０３２４】
前記第２遊星ギヤＧ２は、２つの第２サンギヤS2及び第４サンギヤS4と、両サンギヤS2,S4の各々に噛み合う第２ピニオンP2を支持する第２キャリヤPC2及びセンターメンバCMと、前記第２ピニオンP2に噛み合う１つの第２リングギヤR2と、を有するダブルサンギヤ型遊星ギヤである。
【０３２５】
前記第３遊星ギヤＧ３は、第３サンギヤS3と、第３リングギヤR3と、両ギヤS3,R3に噛み合う第３ピニオンP3を支持する第３キャリヤPC3と、を有するシングルピニオン型遊星ギヤである。
【０３２６】
前記入力軸Inputは、第１リングギヤR1に連結され、前記出力軸Outputは、センターメンバCMに連結される。
【０３２７】
前記第１連結メンバＭ１は、第２サンギヤS2と第３サンギヤS3とを一体的に連結し、前記第２連結メンバＭ２は、第２キャリヤPC2と第３リングギヤR3とを一体的に連結する。
【０３２８】
前記第１クラッチＣ１は、第１リングギヤR1と第２リングギヤR2とを選択的に断接する。前記第２クラッチＣ２は、第１リングギヤR1と第４サンギヤS4とを選択的に断接する。前記第３クラッチＣ３は、第１キャリヤPC1と第３キャリヤPC3とを選択的に断接する。
【０３２９】
前記第１ブレーキＢ１は、第３キャリヤPC3の回転を選択的に停止させる。前記第２ブレーキＢ２は、第３サンギヤS3の回転を選択的に停止させる。
【０３３０】
前記クラッチＣ１，Ｃ２，Ｃ３と前記ブレーキＢ１，Ｂ２には、第１実施例と同様に、第１クラッチＣ１と第１ブレーキＢ１の締結により１速、第１クラッチＣ１と第２ブレーキＢ２の締結により２速、第１クラッチＣ１と第２クラッチＣ２の締結により３速、第１クラッチＣ１と第３クラッチＣ３の締結により４速、第２クラッチＣ２と第３クラッチＣ３の締結により５速、第３クラッチＣ３と第２ブレーキＢ２の締結により６速、第２クラッチＣ２と第１ブレーキＢ１の締結により後退速とし、前進６速で後退１速を得る変速油圧制御装置が設けられている（図２参照）。
【０３３１】
次に作用を説明する。
【０３３２】
［変速作用］
図４４は第７実施例の自動変速機用歯車変速装置において各変速段におけるメンバの回転停止状態を示す共線図、図４５〜図４７は第７実施例の自動変速機用歯車変速装置の各変速段でのトルクフローを示す図である。
【０３３３】
なお、図４５〜図４７においてクラッチ・ブレーキ・メンバのトルク伝達経路は太線で示し、ギヤのトルク伝達経路はハッチングで示す。なお、第７実施例装置の締結作動表は、図２に示す第１実施例装置の締結作動表と同じであるため図示を省略する。
【０３３４】
〈１速〉
１速は、図２に示すように、第１クラッチＣ１と第１ブレーキＢ１の締結により得られる。
【０３３５】
この１速では、第２遊星ギヤＧ２において、第１クラッチＣ１の締結により、入力回転が第２リングギヤR2に入力される。
【０３３６】
一方、第３遊星ギヤＧ３においては、第１ブレーキＢ１の締結により、第３キャリヤPC3がケースに固定される。このため、第３サンギヤS3の回転は、第３リングギヤR3からの出力回転に対して回転方向が逆方向の減速回転となり、この第３サンギヤS3の回転は、第１連結メンバＭ１を介して第２サンギヤS2に伝達される。
【０３３７】
よって、第２遊星ギヤＧ２においては、第２リングギヤR2から正方向の入力回転が入力され、第２サンギヤS2から逆方向の減速回転が入力されることになり、第２リングギヤR2からの入力回転を減速した回転が、センターメンバCMを経過して出力軸Outputへ出力される。
【０３３８】
すなわち、１速は、図４４の共線図に示すように、入力軸Inputからの入力回転を第２リングギヤR2への入力回転とする第１クラッチＣ１の締結点と、第３キャリヤPC3の回転を停止する第１ブレーキＢ１の締結点とを結ぶ線にて規定され、入力軸Inputからの入力回転を減速して出力軸Outputから出力する。
【０３３９】
この１速でのトルクフローは、図４５（ａ）に示す通りであり、太線で示す第１クラッチＣ１と第１ブレーキＢ１と各メンバと、ハッチングで示す第２遊星ギヤＧ２と第３遊星ギヤＧ３（第４サンギヤS4を除く）にトルクが作用することになる。つまり、１速では、イシマル型遊星歯車列を構成する第２遊星ギヤＧ２と第３遊星ギヤＧ３がトルク伝達に関与する。
【０３４０】
〈２速〉
２速は、図２に示すように、１速での第１ブレーキＢ１を解放し、第２ブレーキＢ２を締結する。つまり、第１クラッチＣ１と第２ブレーキＢ２とを締結することにより得られる。
【０３４１】
この２速では、第２遊星ギヤＧ２において、第１クラッチＣ１の締結により、入力回転が第２リングギヤR2に入力される。
【０３４２】
一方、第３遊星ギヤＧ３においては、第２ブレーキＢ２の締結により、第４サンギヤS4がケースに固定される。このため、第３ピニオンP3により連結されている第３サンギヤS3が固定される。そして、第１連結メンバＭ１を介して第３サンギヤS3と連結される第２サンギヤS2がケースに固定される。
【０３４３】
よって、第２遊星ギヤＧ２においては、第２リングギヤR2から入力軸Inputの入力回転が入力され、第２サンギヤS2が固定されることになり、第２リングギヤR2からの入力回転を減速した回転が、センターメンバCMを経過して出力軸Outputへ出力される。
【０３４４】
すなわち、２速は、図４４の共線図に示すように、入力軸Inputからの入力回転を第２リングギヤR2への入力回転とする第１クラッチＣ１の締結点と、第２サンギヤS2の回転を停止する第２ブレーキＢ２の締結点と、を結ぶ線にて規定され、入力軸Inputからの入力回転を減速（１速よりも高速）として出力軸Outputから出力する。
【０３４５】
この２速でのトルクフローは、図４５（ｂ）に示す通りであり、太線で示す第１クラッチＣ１と第２ブレーキＢ２と各メンバと、ハッチングで示す第２遊星ギヤＧ２（第４サンギヤS4を除く）にトルクが作用することになる。
【０３４６】
〈３速〉
３速は、図２に示すように、２速での第２ブレーキＢ２を解放し、第２クラッチＣ２を締結すること、つまり、第１クラッチＣ１と第２クラッチＣ２を締結することにより得られる。
【０３４７】
この３速では、第１クラッチＣ１の締結により、入力軸Inputからの入力回転が第２リングギヤR2に入力される。同時に、第２クラッチＣ２の締結により、入力軸Inputからの入力回転が第４サンギヤS4に入力される。
【０３４８】
よって、第２遊星ギヤＧ２においては、第２リングギヤR2と第２サンギヤS2とから同一の入力回転が入力されることで、両ギヤR2,S2と一体に回転するセンターメンバCMを経過して出力軸Outputへ入力回転による回転が出力される。
【０３４９】
すなわち、３速は、図４４の共線図に示すように、入力軸Inputからの入力回転を第２リングギヤR2への入力回転とする第１クラッチＣ１の締結点と、入力軸Inputからの入力回転を第２サンギヤS2への入力回転とする第２クラッチＣ２の締結点と、を結ぶ線にて規定され、入力軸Inputからの入力回転と同じ回転（直結回転）を出力軸Outputから出力する。
【０３５０】
この３速でのトルクフローは、図４５（ｃ）に示す通りであり、太線で示す第１クラッチＣ１と第２クラッチＣ２と各メンバと、ハッチングで示す第２遊星ギヤＧ２（第２サンギヤS2を除く）にトルクが作用することになる。
【０３５１】
〈４速〉
４速は、図２に示すように、３速での第２クラッチＣ２を解放し、第３クラッチＣ３を締結すること、つまり、第１クラッチＣ１と第３クラッチＣ３を締結することにより得られる。
【０３５２】
この４速では、第１クラッチＣ１の締結により、入力軸Inputからの入力回転が第２リングギヤR2に入力される。
【０３５３】
一方、第３遊星ギヤＧ３においては、第３クラッチＣ３の締結により、入力軸Inputからの入力回転を増速した回転が第３キャリヤPC3に入力される。このため、第３サンギヤS3の回転は、第３キャリヤPC3の回転よりも増速され、この第３サンギヤS3の増速回転は、第１連結メンバＭ１を介して第２サンギヤS2に伝達される。
【０３５４】
よって、第２遊星ギヤＧ２においては、第２リングギヤR2から入力回転が入力され、第２サンギヤS2から増速回転が入力されることになり、第２リングギヤR2からの入力回転を増速した回転が、センターメンバCMを経過して出力軸Outputへ出力される。
【０３５５】
すなわち、４速は、図４４の共線図に示すように、入力軸Inputからの入力回転を第２リングギヤR2への入力回転とする第１クラッチＣ１の締結点と、第３キャリヤPC3への入力回転を第２サンギヤS2への増速回転とする第３クラッチＣ３の締結点と、を結ぶ線にて規定され、入力軸Inputから入力された回転を増速して出力軸Outputから出力する。
【０３５６】
この４速でのトルクフローは、図４６（ａ）に示す通りであり、太線で示す第１クラッチＣ１と第３クラッチＣ３と各メンバと、ハッチングで示す第１遊星ギヤＧ１と第２遊星ギヤＧ２（第４サンギヤS4を除く）と第３遊星ギヤＧ３にトルクが作用することになる。
【０３５７】
（５速）
５速は、図２に示すように、４速での第１クラッチＣ１を解放し、第２クラッチＣ２を締結する。つまり、第２クラッチＣ２と第３クラッチＣ３を締結することにより得られる。
【０３５８】
この５速では、第２クラッチＣ２の締結により、入力軸Inputからの入力回転が、第２クラッチＣ２→第４サンギヤS4→第２ピニオンP2→第２サンギヤS2→第１連結メンバＭ１を介して、第３サンギヤS3に入力される。
【０３５９】
一方、第３クラッチＣ３の締結により、入力軸Inputからの入力回転を第１遊星ギヤＧ１にて増速した増速回転が第３キャリヤPC3に入力される。
【０３６０】
よって、第３遊星ギヤＧ３においては、第３キャリヤPC3に増速回転が入力され、第３サンギヤS3に入力回転が入力されることになり、入力回転よりも増速した回転が、第３リングギヤR3から第２連結メンバＭ２及びセンターメンバCMを経過して出力軸Outputへ出力される。
【０３６１】
すなわち、５速は、図４４の共線図に示すように、第３サンギヤS3の回転を入力回転とする第２クラッチＣ２の締結点と、第３キャリヤPC3の回転を増速回転とする第３クラッチＣ３の締結点と、を結ぶ線にて規定され、入力軸Inputから入力された回転を増速して出力軸Outputから出力する。
【０３６２】
この５速でのトルクフローは、図４６（ｂ）に示す通りであり、太線で示す第２クラッチＣ２と第３クラッチＣ３と各メンバと、ハッチングで示す第１遊星ギヤＧ１と第３遊星ギヤＧ３にトルクが作用することになる。なお、第２遊星ギヤＧ２は、回転メンバとして機能するだけで、トルク伝達には関与しない。
【０３６３】
（６速）
６速は、図２に示すように、５速での第２クラッチＣ２を解放し、第２ブレーキＢ２を締結する。つまり、第３クラッチＣ３と第２ブレーキＢ２を締結することにより得られる。
【０３６４】
この６速では、第３クラッチＣ３の締結により、入力軸Inputからの入力回転を第１遊星ギヤＧ１にて増速した増速回転が第３キャリヤPC3に入力される。そして、第２ブレーキＢ２の締結により、第３遊星ギヤＧ３の第３サンギヤS3がケースに固定される。
【０３６５】
よって、第３遊星ギヤＧ３においては、第３キャリヤPC3に増速回転が入力され、第３サンギヤS3がケースに固定されることになり、入力回転よりも増速した回転が、第３リングギヤR2から第２連結メンバＭ２及びセンターメンバCMを経過して出力軸Outputへ出力される。
【０３６６】
すなわち、６速は、図４４の共線図に示すように、第３キャリヤPC3の回転を増速回転とする第３クラッチＣ３の締結点と、第３サンギヤS3をケースに固定とする第２ブレーキＢ２の締結点と、を結ぶ線にて規定され、入力軸Inputから入力された回転を増速して出力軸Outputから出力する。
【０３６７】
この６速でのトルクフローは、図４６（ｃ）に示す通りであり、太線で示す第３クラッチＣ３と第２ブレーキＢ２と各メンバと、ハッチングで示す第１遊星ギヤＧ１と第３遊星ギヤＧ３にトルクが作用することになる。
【０３６８】
（後退速）
後退速は、図２に示すように、第２クラッチＣ２と第１ブレーキＢ１を締結することにより得られる。
【０３６９】
この後退速では、第２クラッチＣ２の締結により、入力軸Inputからの入力回転が、第２クラッチＣ２→第４サンギヤS4→第２ピニオンP2→第２サンギヤS2→第１連結メンバＭ１を介して、第３サンギヤS3に入力される。そして、第１ブレーキＢ１の締結により、第３キャリヤPC3がケースに固定される。
【０３７０】
よって、第３遊星ギヤＧ３においては、第３サンギヤS3に入力回転が入力され、第３キャリヤPC3がケースに固定となり、第３リングギヤR3からは、減速した逆回転が、第２連結メンバＭ２を経過して出力軸Outputへ出力される。
【０３７１】
すなわち、後退速は、図４４の共線図に示すように、入力軸Inputからの入力回転を第３サンギヤS3への入力回転とする第２クラッチＣ２の締結点と、第３キャリヤPC3の回転を停止する第１ブレーキＢ１の締結点とを結ぶ線にて規定され、入力軸Inputから入力された回転を逆方向に減速して出力軸Outputから出力する。
【０３７２】
この後退速でのトルクフローは、図４７に示す通りであり、太線で示す第２クラッチＣ２と第１ブレーキＢ１と各メンバと、ハッチングで示す第３遊星ギヤＧ３にトルクが作用することになる。
【０３７３】
次に、効果を説明する。
以上説明したように、第７実施例の自動変速機用歯車変速装置にあっては、第１実施例の(3),(5) 及び第３実施例の(7)の効果に加え、下記の効果を得ることができる。
【０３７４】
（１４）増速装置である一組の第１遊星ギヤＧ１を、ダブルピニオン型遊星ギヤとしたため、ＦＲ車に適しているレイアウト、すなわち、入力部の反対側に出力部を設けたレイアウトに成立させることができる（請求項１３に対応）。
【０３７５】
（１５）第１サンギヤＳ１と、第１リングギヤＲ１と、両ギヤＳ１，Ｒ１に噛み合う第１ダブルピニオンＰ１を支持する第１キャリヤＰＣ１と、を有する増速装置であるダブルピニオン型の第１遊星ギヤＧ１と、２つの第２サンギヤＳ２及び第４サンギヤＳ４と、両サンギヤＳ２，Ｓ４の各々に噛み合う第２ピニオンＰ２を支持する第２キャリヤＰＣ２及びセンターメンバＣＭと、前記第２ピニオンＰ２に噛み合う１つの第２リングギヤＲ２と、を有するダブルサンギヤ型の第２遊星ギヤＧ２と、第３サンギヤＳ３と、第３リングギヤＲ３と、両ギヤＳ３，Ｒ３に噛み合う第３ピニオンＰ３を支持する第３キャリヤＰＣ３と、を有するシングルピニオン型の第３遊星ギヤＧ３と、第１リングギヤＲ１に連結される入力軸Ｉｎｐｕｔと、センターメンバＣＭに連結される出力軸Ｏｕｔｐｕｔと、第２サンギヤＳ２と第３サンギヤＳ３とを一体的に連結する第１連結メンバＭ１と、第２キャリヤＰＣ２と第３リングギヤＲ３とを一体的に連結する第２連結メンバＭ３と、第１リングギヤＲ１と第２リングギヤＲ２とを選択的に断接する第１クラッチＣ１と、第１リングギヤＲ１と第４サンギヤＳ４とを選択的に断接する第２クラッチＣ２と、第１キャリヤＰＣ１と第３キャリヤＰＣ３とを選択的に断接する第３クラッチＣ３と、第３キャリヤＰＣ３の回転を選択的に停止させる第１ブレーキＢ１と、第３サンギヤＳ３の回転を選択的に停止させる第２ブレーキＢ２と、前進６速で後退１速を得る変速油圧制御装置と、を設けたため、下記に列挙する効果を得ることができる（請求項９に対応）。
(i)１速及び２速において、第２遊星ギヤＧ２と第３遊星ギヤＧ３により構成される、いわゆる、イシマル型遊星歯車列に対し、リングギヤ入力を達成でき、さらに、自動変速機をコンパクトにすることができる。
(ii)２速において、トルク循環が無くなるため、２速の伝達効率が向上し、燃費の向上を図ることができる。
(iii)ＦＲ車の自動変速機に適用するにあたって、ダブルサンギヤ型の第２遊星ギヤＧ２の内側を通るメンバの数を１つにしたレイアウトに設定することができ、イシマル型遊星歯車列を小型化することが可能であり、変速装置のコンパクト化が達成できる。
【０３７６】
（第８実施例）
＊第８実施例−１
まず、構成を説明する。
第８実施例−１は、請求項１，３，１０，１４に記載の発明に対応する自動変速機用歯車変速装置であり、図４８は第８実施例−１の自動変速機用歯車変速装置を示すスケルトン図である。
【０３７７】
図４８において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０３７８】
この第８実施例-1の自動変速機用歯車変速装置（減速シングルタイプ１＋段付きピニオンタイプ１という）は、第１実施例の自動変速機用歯車変速装置（減速シングルタイプ１）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第１実施例と同様であるので説明を省略する。
【０３７９】
次に、作用を説明する。
【０３８０】
図４９は第８実施例-1の自動変速機用歯車変速装置において各変速段におけるメンバの回転停止状態を示す共線図である。
【０３８１】
第１実施例と比較すると、第１実施例に対し、第８実施例-1では、第３サンギヤS3の回転数と第４サンギヤの回転数とが異なるという点で異なる。なお、変速作用及びトルクフローについては第１実施例と同様であるので説明を省略する。
【０３８２】
＊第８実施例−２
まず、構成を説明する。
第８実施例−２は、請求項１，３，１０，１４に記載の発明に対応する自動変速機用歯車変速装置であり、図４９は第８実施例−２の自動変速機用歯車変速装置を示すスケルトン図である。
【０３８３】
図４９において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０３８４】
この第８実施例-2の自動変速機用歯車変速装置（減速シングルタイプ１＋段付きピニオンタイプ２という）は、第１実施例の自動変速機用歯車変速装置（減速シングルタイプ１）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第１実施例と同様であるので説明を省略する。
【０３８５】
また、第８実施例-2の自動変速機用歯車変速装置における各変速段におけるメンバの回転停止状態を示す共線図は、図４９と同様であるので図示並びに説明を省略する。
【０３８６】
次に、効果を説明する。
以上説明したように、第８実施例の自動変速機用歯車変速装置にあっては、第１実施例の(1)〜(4)の効果に加え、下記の効果を得ることができる。
【０３８７】
(16) ダブルサンギヤ型の第３遊星ギヤＧ３を、異なる歯数を有する２つのサンギヤS3,S4と、該２つのサンギヤS3,S4の各々に噛み合う歯数の異なる第３段付きピニオンP3と、を有する遊星ギヤとしたため、変速比幅をさらに広くとることができ、ギヤ比選択の自由度がさらに向上し、設計自由度が高まる。具体的には、２速及び６速の変速比の自由度が増える。
【０３８８】
（第９実施例）
＊第９実施例−１
まず、構成を説明する。
第９実施例−１は、請求項１，４，１０，１４に記載の発明に対応する自動変速機用歯車変速装置であり、図５１は第９実施例−１の自動変速機用歯車変速装置を示すスケルトン図である。
【０３８９】
図５１において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０３９０】
この第９実施例-1の自動変速機用歯車変速装置（減速シングルタイプ２＋段付きピニオンタイプ１という）は、第２実施例の自動変速機用歯車変速装置（減速シングルタイプ２）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第２実施例と同様であるので説明を省略する。
【０３９１】
また、第９実施例-1の自動変速機用歯車変速装置における各変速段におけるメンバの回転停止状態を示す共線図は図４９と同様であるので図示並びに説明を省略する。なお、変速作用及びトルクフローについては第２実施例と同様であるので説明を省略する。
【０３９２】
＊第９実施例−２
まず、構成を説明する。
第９実施例−２は、請求項１，４，１０，１４に記載の発明に対応する自動変速機用歯車変速装置であり、図５２は第９実施例−２の自動変速機用歯車変速装置を示すスケルトン図である。
【０３９３】
図５２において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０３９４】
この第９実施例-2の自動変速機用歯車変速装置（減速シングルタイプ２＋段付きピニオンタイプ２という）は、第２実施例の自動変速機用歯車変速装置（減速シングルタイプ２）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第２実施例と同様であるので説明を省略する。
【０３９５】
また、第９実施例-1の自動変速機用歯車変速装置における各変速段におけるメンバの回転停止状態を示す共線図は図４９と同様であるので図示並びに説明を省略する。なお、変速作用及びトルクフローについては第２実施例と同様であるので説明を省略する。
【０３９６】
次に、効果を説明する。
以上説明したように、第９実施例の自動変速機用歯車変速装置にあっては、第２実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０３９７】
（第１０実施例）
＊第１０実施例−１
まず、構成を説明する。
第１０実施例−１は、請求項２，５，１２，１４に記載の発明に対応する自動変速機用歯車変速装置であり、図５３は第１０実施例−１の自動変速機用歯車変速装置を示すスケルトン図である。
【０３９８】
図４８において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０３９９】
この第１０実施例-1の自動変速機用歯車変速装置（増速シングルタイプ１＋段付きピニオンタイプ１という）は、第３実施例の自動変速機用歯車変速装置（増速シングルタイプ１）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第３実施例と同様であるので説明を省略する。
【０４００】
次に、作用を説明する。
【０４０１】
図５４は第１０実施例-1の自動変速機用歯車変速装置において各変速段におけるメンバの回転停止状態を示す共線図である。
【０４０２】
第３実施例と比較すると、第３実施例に対し、第１０実施例-1では、第３サンギヤS3の回転数と第４サンギヤの回転数とが異なるという点で異なる。なお、変速作用及びトルクフローについては第３実施例と同様であるので説明を省略する。
【０４０３】
＊第１０実施例−２
まず、構成を説明する。
第１０実施例−２は、請求項２，５，１２，１４に記載の発明に対応する自動変速機用歯車変速装置であり、図５５は第１０実施例−２の自動変速機用歯車変速装置を示すスケルトン図である。
【０４０４】
図５５において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４０５】
この第１０実施例-2の自動変速機用歯車変速装置（増速シングルタイプ１＋段付きピニオンタイプ２という）は、第３実施例の自動変速機用歯車変速装置（増速シングルタイプ１）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第３実施例と同様であるので説明を省略する。
【０４０６】
また、第１０実施例-2の自動変速機用歯車変速装置における各変速段におけるメンバの回転停止状態を示す共線図は、図５４と同様であるので図示並びに説明を省略する。
【０４０７】
次に、効果を説明する。
以上説明したように、第１０実施例の自動変速機用歯車変速装置にあっては、第３実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０４０８】
（第１１実施例）
＊第１１実施例−１
まず、構成を説明する。
第１１実施例−１は、請求項２，６，１２，１４に記載の発明に対応する自動変速機用歯車変速装置であり、図５６は第１１実施例−１の自動変速機用歯車変速装置を示すスケルトン図である。
【０４０９】
図５６において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４１０】
この第１１実施例-1の自動変速機用歯車変速装置（増速シングルタイプ２＋段付きピニオンタイプ１という）は、第４実施例の自動変速機用歯車変速装置（増速シングルタイプ２）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第４実施例と同様であるので説明を省略する。
【０４１１】
また、第１１実施例-1の自動変速機用歯車変速装置における各変速段におけるメンバの回転停止状態を示す共線図は図５４と同様であるので図示並びに説明を省略する。なお、変速作用及びトルクフローについては第４実施例と同様であるので説明を省略する。
【０４１２】
＊第１１実施例−２
まず、構成を説明する。
第１１実施例−２は、請求項２，６，１２，１４に記載の発明に対応する自動変速機用歯車変速装置であり、図５７は第１１実施例−２の自動変速機用歯車変速装置を示すスケルトン図である。
【０４１３】
図５７において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４１４】
この第１１実施例-2の自動変速機用歯車変速装置（増速シングルタイプ２＋段付きピニオンタイプ２という）は、第４実施例の自動変速機用歯車変速装置（増速シングルタイプ２）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第４実施例と同様であるので説明を省略する。
【０４１５】
また、第１１実施例-2の自動変速機用歯車変速装置における各変速段におけるメンバの回転停止状態を示す共線図は図５４と同様であるので図示並びに説明を省略する。なお、変速作用及びトルクフローについては第４実施例と同様であるので説明を省略する。
【０４１６】
次に、効果を説明する。
以上説明したように、第１１実施例の自動変速機用歯車変速装置にあっては、第４実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０４１７】
（第１２実施例）
＊第１２実施例−１
まず、構成を説明する。
第１２実施例−１は、請求項１，７，１１，１４に記載の発明に対応する自動変速機用歯車変速装置であり、図５８は第１２実施例−１の自動変速機用歯車変速装置を示すスケルトン図である。
【０４１８】
図５８において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４１９】
この第１２実施例-1の自動変速機用歯車変速装置（減速ダブルタイプ１＋段付きピニオンタイプ１という）は、第５実施例-1の自動変速機用歯車変速装置（減速ダブルタイプ１）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第５実施例-1と同様であるので説明を省略する。
【０４２０】
次に、作用を説明する。
【０４２１】
図５９は第１２実施例-1の自動変速機用歯車変速装置において各変速段におけるメンバの回転停止状態を示す共線図である。
【０４２２】
第５実施例-1と比較すると、第５実施例-1に対し、第１２実施例-1では、第３サンギヤS3の回転数と第４サンギヤの回転数とが異なるという点で異なる。なお、変速作用及びトルクフローについては第５実施例-1と同様であるので説明を省略する。
【０４２３】
＊第１２実施例−２
まず、構成を説明する。
第１２実施例−２は、請求項１，７，１１，１４に記載の発明に対応する自動変速機用歯車変速装置であり、図６０は第１２実施例−２の自動変速機用歯車変速装置を示すスケルトン図である。
【０４２４】
図６０において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４２５】
この第１２実施例-2の自動変速機用歯車変速装置（減速ダブルタイプ１＋段付きピニオンタイプ２という）は、第５実施例-1の自動変速機用歯車変速装置（減速ダブルタイプ１）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第５実施例-1と同様であるので説明を省略する。
【０４２６】
また、第１２実施例-2の自動変速機用歯車変速装置における各変速段におけるメンバの回転停止状態を示す共線図は、図５９と同様であるので図示並びに説明を省略する。
【０４２７】
次に、効果を説明する。
以上説明したように、第１２実施例の自動変速機用歯車変速装置にあっては、第５実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０４２８】
（第１３実施例）
＊第１３実施例−１
まず、構成を説明する。
第１３実施例−１は、請求項１，７，１１，１４に記載の発明に対応する自動変速機用歯車変速装置であり、図６１は第１３実施例−１の自動変速機用歯車変速装置を示すスケルトン図である。
【０４２９】
図６１において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０４３０】
この第１３実施例-1の自動変速機用歯車変速装置（減速ダブルタイプ２＋段付きピニオンタイプ１という）は、第５実施例-2の自動変速機用歯車変速装置（減速ダブルタイプ２）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第５実施例-2と同様であるので説明を省略する。
【０４３１】
また、第１３実施例-1の自動変速機用歯車変速装置における各変速段におけるメンバの回転停止状態を示す共線図は図５９と同様であるので図示並びに説明を省略する。なお、変速作用及びトルクフローについては第５実施例-2と同様であるので説明を省略する。
【０４３２】
＊第１３実施例−２
まず、構成を説明する。
第１３実施例−２は、請求項１，７，１１，１４に記載の発明に対応する自動変速機用歯車変速装置であり、図６２は第１３実施例−２の自動変速機用歯車変速装置を示すスケルトン図である。
【０４３３】
図６２において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０４３４】
この第１３実施例-2の自動変速機用歯車変速装置（減速ダブルタイプ２＋段付きピニオンタイプ２という）は、第５実施例-2の自動変速機用歯車変速装置（減速ダブルタイプ２）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第５実施例-2と同様であるので説明を省略する。
【０４３５】
また、第１３実施例-2の自動変速機用歯車変速装置における各変速段におけるメンバの回転停止状態を示す共線図は図５９と同様であるので図示並びに説明を省略する。なお、変速作用及びトルクフローについては第５実施例-2と同様であるので説明を省略する。
【０４３６】
次に、効果を説明する。
以上説明したように、第１３実施例の自動変速機用歯車変速装置にあっては、第５実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０４３７】
（第１４実施例）
＊第１４実施例−１
まず、構成を説明する。
第１４実施例−１は、請求項１，７，１１，１４に記載の発明に対応する自動変速機用歯車変速装置であり、図６３は第１４実施例−１の自動変速機用歯車変速装置を示すスケルトン図である。
【０４３８】
図６３において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０４３９】
この第１４実施例-1の自動変速機用歯車変速装置（減速ダブルタイプ３＋段付きピニオンタイプ１という）は、第５実施例-3の自動変速機用歯車変速装置（減速ダブルタイプ３）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の大径部分に第３リングギヤR3を噛み合わせた例である。なお、他の構成は第５実施例-3と同様であるので説明を省略する。
【０４４０】
また、第１４実施例-1の自動変速機用歯車変速装置における各変速段におけるメンバの回転停止状態を示す共線図は図５９と同様であるので図示並びに説明を省略する。なお、変速作用及びトルクフローについては第５実施例-3と同様であるので説明を省略する。
【０４４１】
＊第１４実施例−２
まず、構成を説明する。
第１４実施例−２は、請求項１，７，１１，１４に記載の発明に対応する自動変速機用歯車変速装置であり、図６４は第１４実施例−２の自動変速機用歯車変速装置を示すスケルトン図である。
【０４４２】
図６４において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０４４３】
この第１４実施例-2の自動変速機用歯車変速装置（減速ダブルタイプ３＋段付きピニオンタイプ２という）は、第５実施例-3の自動変速機用歯車変速装置（減速ダブルタイプ３）の第３サンギヤS3と第４サンギヤS4の歯数を異ならせ、第３ピニオンP3を、第３サンギヤS3に噛み合う部分が大径で第４サンギヤS4に噛み合う部分が小径で歯数が異なる第３段付きピニオンP3とし、第３段付きピニオンP3の小径部分に第３リングギヤR3を噛み合わせた例である。なお、他の構成は第５実施例-3と同様であるので説明を省略する。
【０４４４】
また、第１４実施例-2の自動変速機用歯車変速装置における各変速段におけるメンバの回転停止状態を示す共線図は図５９と同様であるので図示並びに説明を省略する。なお、変速作用及びトルクフローについては第５実施例-2と同様であるので説明を省略する。
【０４４５】
次に、効果を説明する。
以上説明したように、第１４実施例の自動変速機用歯車変速装置にあっては、第５実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０４４６】
（第１５実施例）
＊第１５実施例−１
まず、構成を説明する。
第１５実施例−１は、請求項１，８，１１，１４に記載の発明に対応する自動変速機用歯車変速装置であり、図６５は第１５実施例−１の自動変速機用歯車変速装置を示すスケルトン図である。
【０４４７】
第１５実施例-1は、請求項１，４，７，１３，１５に記載の発明に対応する自動変速機用歯車変速装置であり、図６５は第１５実施例-1の自動変速機用歯車変速装置を示すスケルトン図である。
【０４４８】
図６５において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４４９】
この第１５実施例-1の自動変速機用歯車変速装置（減速ダブルタイプ４＋段付きピニオンタイプ１という）は、第６実施例の自動変速機用歯車変速装置（減速ダブルタイプ４）の第２サンギヤS2と第4サンギヤS4の歯数を異ならせ、第2ピニオンP2を、第２サンギヤS2に噛み合う部分が大径で第４サンギヤS4に噛み合う部分が小径で歯数が異なる第２段付きピニオンP2とし、第２段付きピニオンP2の大径部分に第２リングギヤR2を噛み合わせた例である。なお、他の構成は第６実施例と同様であるので説明を省略する。
【０４５０】
次に、作用を説明する。
【０４５１】
図６６は第１５実施例-1の自動変速機用歯車変速装置において各変速段におけるメンバの回転停止状態を示す共線図である。
【０４５２】
第１実施例と比較すると、第１実施例に対し、第８実施例-1では、第２サンギヤS2の回転数と第４サンギヤS4の回転数とが異なるという点で異なる。なお、変速作用及びトルクフローについては第６実施例と同様であるので説明を省略する。
【０４５３】
＊第１５実施例-2
まず、構成を説明する。
【０４５４】
＊第１５実施例−２
まず、構成を説明する。
第１５実施例−２は、請求項１，８，１１，１４に記載の発明に対応する自動変速機用歯車変速装置であり、図６７は第８実施例−２の自動変速機用歯車変速装置を示すスケルトン図である。
【０４５５】
図６７において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力ギヤ（出力部）である。
【０４５６】
この第１５実施例-2の自動変速機用歯車変速装置（減速ダブルタイプ４＋段付きピニオンタイプ２という）は、第６実施例の自動変速機用歯車変速装置（減速ダブルタイプ４）の第２サンギヤS2と第4サンギヤS4の歯数を異ならせ、第2ピニオンP2を、第２サンギヤS2に噛み合う部分が大径で第４サンギヤS4に噛み合う部分が小径で歯数が異なる第２段付きピニオンP2とし、第２段付きピニオンP2の小径部分に第２リングギヤR2を噛み合わせた例である。なお、他の構成は第１実施例と同様であるので説明を省略する。
【０４５７】
また、第１５実施例-2の自動変速機用歯車変速装置における各変速段におけるメンバの回転停止状態を示す共線図は、図６６と同様であるので図示並びに説明を省略する。
【０４５８】
次に、効果を説明する。
以上説明したように、第８実施例の自動変速機用歯車変速装置にあっては、第６実施例の(1)(3)(11)(13)の効果に加え、第８実施例の(16)の効果、つまり、変速比幅をさらに広くとることができ、ギヤ比選択の自由度がさらに向上し、設計自由度が高まるという効果を得ることができる。
【０４５９】
（第１６実施例）
＊第１６実施例−１
まず、構成を説明する。
第１６実施例−１は、請求項２，９，１３，１４に記載の発明に対応する自動変速機用歯車変速装置であり、図６８は第１５実施例−１の自動変速機用歯車変速装置を示すスケルトン図である。
【０４６０】
図６８において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０４６１】
この第１６実施例-1の自動変速機用歯車変速装置（増速ダブルタイプ１＋段付きピニオンタイプ１という）は、第７実施例の自動変速機用歯車変速装置（増速ダブルタイプ１）の第２サンギヤS2と第４サンギヤS4の歯数を異ならせ、第２ピニオンP2を、第２サンギヤS2に噛み合う部分が大径で第４サンギヤS4に噛み合う部分が小径で歯数が異なる第２段付きピニオンP2とし、第２段付きピニオンP2の大径部分に第２リングギヤR2を噛み合わせた例である。なお、他の構成は第７実施例と同様であるので説明を省略する。
【０４６２】
次に、作用を説明する。
【０４６３】
図６９は第１６実施例-1の自動変速機用歯車変速装置において各変速段におけるメンバの回転停止状態を示す共線図である。
【０４６４】
第７実施例と比較すると、第７実施例に対し、第１６実施例-1では、第３サンギヤS3の回転数と第４サンギヤの回転数とが異なるという点で異なる。なお、変速作用及びトルクフローについては第７実施例と同様であるので説明を省略する。
【０４６５】
＊第１６実施例−２
まず、構成を説明する。
第１６実施例−２は、請求項２，９，１３，１４に記載の発明に対応する自動変速機用歯車変速装置であり、図７０は第１５実施例−２の自動変速機用歯車変速装置を示すスケルトン図である。
【０４６６】
図７０において、Ｇ１は第１遊星ギヤ、Ｇ２は第２遊星ギヤ、Ｇ３は第３遊星ギヤ、Ｍ１は第１連結メンバ、Ｍ２は第２連結メンバ、Ｃ１は第１クラッチ、Ｃ２は第２クラッチ、Ｃ３は第３クラッチ、Ｂ１は第１ブレーキ、Ｂ２は第２ブレーキ、Inputは入力軸（入力部）、Outputは出力軸（出力部）である。
【０４６７】
この第１６実施例-2の自動変速機用歯車変速装置（増速ダブルタイプ１＋段付きピニオンタイプ２という）は、第７実施例の自動変速機用歯車変速装置（増速ダブルタイプ１）の第２サンギヤS2と第４サンギヤS4の歯数を異ならせ、第２ピニオンP2を、第２サンギヤS2に噛み合う部分が大径で第４サンギヤS4に噛み合う部分が小径で歯数が異なる第２段付きピニオンP2とし、第２段付きピニオンP2の小径部分に第２リングギヤR2を噛み合わせた例である。なお、他の構成は第７実施例と同様であるので説明を省略する。
【０４６８】
また、第１６実施例-2の自動変速機用歯車変速装置における各変速段におけるメンバの回転停止状態を示す共線図は、図６９と同様であるので図示並びに説明を省略する。
【０４６９】
次に、効果を説明する。
以上説明したように、第１５実施例の自動変速機用歯車変速装置にあっては、第７実施例の効果（第１実施例の(5)の効果を除く）に加え、第８実施例の(16)の効果、つまり、変速比幅をさらに広くとることができ、ギヤ比選択の自由度がさらに向上し、設計自由度が高まるという効果を得ることができる。
【０４７０】
以上、本発明の自動変速機用歯車変速装置を第１実施例〜第１６実施例に基づき説明してきたが、具体的な構成については、これらの実施例に限られるものではなく、特許請求の範囲の各請求項に記載された本発明の要旨を逸脱しない限り、設計の変更や追加等は許容される。
【図面の簡単な説明】
【図１】  図１は第１実施例の自動変速機用歯車変速装置を示すスケルトン図である。
【図２】  図２は第１実施例の自動変速機用歯車変速装置の締結表である。
【図３】  図３は第１実施例の自動変速機用歯車変速装置における共線図である。
【図４】  図４は第１実施例の自動変速機用歯車変速装置における１速、２速、３速のトルクフロー図である。
【図５】  図５は第１実施例の自動変速機用歯車変速装置における４速、５速、６速のトルクフロー図である。
【図６】  図６は第１実施例の自動変速機用歯車変速装置における後退速のトルクフロー図である。
【図７】  図７はラビニオ型複合遊星歯車列を用いた自動変速機用歯車変速装置における２速でのトルク循環説明図である。
【図８】  図８はシンプソン型遊星歯車列とラビニオ型複合遊星歯車列とでの１速におけるトルク伝達経路を示す図である。
【図９】  図９はキャリヤ入力よりもリングギヤ入力が有利であることの説明図である。
【図１０】  図１０はシンプソン型遊星歯車列の場合にオーバードライブ変速段を得るキャリヤ入力が実現できないことの説明図とダブルサンギヤ型遊星ギヤが５つのメンバを持つことの説明図である。
【図１１】  図１１はラビニオ型複合遊星歯車列を用いた歯車変速装置とイシマル型遊星歯車列を用いた歯車変速装置との性能比較を示す図である。
【図１２】  図１２は第１実施例の歯車変速装置を具体的に自動変速機に適用した場合の一例を示す断面図である。
【図１３】  図１３は第２実施例の自動変速機用歯車変速装置を示すスケルトン図である。
【図１４】  図１４は第２実施例の自動変速機用歯車変速装置における１速、２速のトルクフロー図である。
【図１５】  図１５は第２実施例の自動変速機用歯車変速装置における３速、４速、５速のトルクフロー図である。
【図１６】  図１６は第２実施例の自動変速機用歯車変速装置における６速、後退速のトルクフロー図である。
【図１７】  図１７は第３実施例の自動変速機用歯車変速装置を示すスケルトン図である。
【図１８】  図１８は第３実施例の自動変速機用歯車変速装置における共線図である。
【図１９】  図１９は第３実施例の自動変速機用歯車変速装置における１速、２速、３速のトルクフロー図である。
【図２０】  図２０は第３実施例の自動変速機用歯車変速装置における４速、５速、６速のトルクフロー図である。
【図２１】  図２１は第３実施例の自動変速機用歯車変速装置における後退速のトルクフロー図である。
【図２２】  図２２は第４実施例の自動変速機用歯車変速装置を示すスケルトン図である。
【図２３】  図２３は第４実施例の自動変速機用歯車変速装置における１速、２速のトルクフロー図である。
【図２４】  図２４は第４実施例の自動変速機用歯車変速装置における３速、４速、５速のトルクフロー図である。
【図２５】  図２５は第４実施例の自動変速機用歯車変速装置における６速、後退段のトルクフロー図である。
【図２６】  図２６は第５実施例-1の自動変速機用歯車変速装置を示すスケルトン図である。
【図２７】  図２７は第５実施例-1の自動変速機用歯車変速装置における共線図である。
【図２８】  図２８は第５実施例-1の自動変速機用歯車変速装置における１速、２速、３速のトルクフロー図である。
【図２９】  図２９は第５実施例-1の自動変速機用歯車変速装置における４速、５速、６速のトルクフロー図である。
【図３０】  図３０は第５実施例-1の自動変速機用歯車変速装置における後退速のトルクフロー図である。
【図３１】  図３１は第５実施例-2の自動変速機用歯車変速装置を示すスケルトン図である。
【図３２】  図３２は第５実施例-2の自動変速機用歯車変速装置における１速、２速のトルクフロー図である。
【図３３】  図３３は第５実施例-2の自動変速機用歯車変速装置における３速、４速、５速のトルクフロー図である。
【図３４】  図３４は第５実施例-2の自動変速機用歯車変速装置における６速、後退段のトルクフロー図である。
【図３５】  図３５は第５実施例-3の自動変速機用歯車変速装置を示すスケルトン図である。
【図３６】  図３６は第５実施例-3の自動変速機用歯車変速装置における１速、２速のトルクフロー図である。
【図３７】  図３７は第５実施例-3の自動変速機用歯車変速装置における３速、４速、５速のトルクフロー図である。
【図３８】  図３８は第５実施例-3の自動変速機用歯車変速装置における６速、後退段のトルクフロー図である。
【図３９】  図３９は第６実施例の自動変速機用歯車変速装置を示すスケルトン図である。
【図４０】  図４０は第６実施例の自動変速機用歯車変速装置における１速、２速のトルクフロー図である。
【図４１】  図４１は第６実施例の自動変速機用歯車変速装置における３速、４速、５速のトルクフロー図である。
【図４２】  図４２は第６実施例の自動変速機用歯車変速装置における６速、後退段のトルクフロー図である。
【図４３】  図４３は第７実施例の自動変速機用歯車変速装置を示すスケルトン図である。
【図４４】  図４４は第７実施例の自動変速機用歯車変速装置における共線図である。
【図４５】  図４５は第７実施例の自動変速機用歯車変速装置における１速、２速、３速のトルクフロー図である。
【図４６】  図４６は第７実施例の自動変速機用歯車変速装置における４速、５速、６速のトルクフロー図である。
【図４７】  図４７は第７実施例の自動変速機用歯車変速装置における後退段のトルクフロー図である。
【図４８】  図４８は第８実施例-1の自動変速機用歯車変速装置を示すスケルトン図である。
【図４９】  図４９は第８実施例-1の自動変速機用歯車変速装置における共線図である。
【図５０】  図５０は第８実施例-2の自動変速機用歯車変速装置を示すスケルトン図である。
【図５１】  図５１は第９実施例-1の自動変速機用歯車変速装置を示すスケルトン図である。
【図５２】  図５２は第９実施例-2の自動変速機用歯車変速装置を示すスケルトン図である。
【図５３】  図５３は第１０実施例-1の自動変速機用歯車変速装置を示すスケルトン図である。
【図５４】  図５４は第１０実施例-1の自動変速機用歯車変速装置における共線図である。
【図５５】  図５５は第１０実施例-2の自動変速機用歯車変速装置を示すスケルトン図である。
【図５６】  図５６は第１１実施例-1の自動変速機用歯車変速装置を示すスケルトン図である。
【図５７】  図５７は第１１実施例-2の自動変速機用歯車変速装置を示すスケルトン図である。
【図５８】  図５８は第１２実施例-1の自動変速機用歯車変速装置を示すスケルトン図である。
【図５９】  図５９は第１２実施例-1の自動変速機用歯車変速装置における共線図である。
【図６０】  図６０は第１２実施例-2の自動変速機用歯車変速装置を示すスケルトン図である。
【図６１】  図６１は第１３実施例-1の自動変速機用歯車変速装置を示すスケルトン図である。
【図６２】  図６２は第１３実施例-2の自動変速機用歯車変速装置を示すスケルトン図である。
【図６３】  図６３は第１４実施例-1の自動変速機用歯車変速装置を示すスケルトン図である。
【図６４】  図６４は第１４実施例-2の自動変速機用歯車変速装置を示すスケルトン図である。
【図６５】  図６５は第１５実施例-1の自動変速機用歯車変速装置を示すスケルトン図である。
【図６６】  図６６は第１５実施例-1の自動変速機用歯車変速装置における共線図である。
【図６７】  図６７は第１５実施例-2の自動変速機用歯車変速装置を示すスケルトン図である。
【図６８】  図６８は第１６実施例-1の自動変速機用歯車変速装置を示すスケルトン図である。
【図６９】  図６９は第１６実施例-1の自動変速機用歯車変速装置における共線図である。
【図７０】  図７０は第１６実施例-2の自動変速機用歯車変速装置を示すスケルトン図である。
【符号の説明】
Ｇ１  第１遊星ギヤ
Ｇ２  第２遊星ギヤ
Ｇ３  第３遊星ギヤ
Ｍ１  第１連結メンバ
Ｍ２  第２連結メンバ
CM  センターメンバ
Ｃ１  第１クラッチ
Ｃ２  第２クラッチ
Ｃ３  第３クラッチ
Ｂ１  第１ブレーキ
Ｂ２  第２ブレーキ
Input  入力軸（入力部）
Output  出力ギヤ（出力部）
【図１】
0003788621.tif 000002
【図２】
0003788621.tif 000003
【図３】
0003788621.tif 000004
【図４】
0003788621.tif 000005
【図５】
0003788621.tif 000006
【図６】
0003788621.tif 000007
【図７】
0003788621.tif 000008
【図８】
0003788621.tif 000009
【図９】
0003788621.tif 000010
【図１０】
0003788621.tif 000011
【図１１】
0003788621.tif 000012
【図１２】
0003788621.tif 000013
【図１３】
0003788621.tif 000014
【図１４】
0003788621.tif 000015
【図１５】
0003788621.tif 000016
【図１６】
0003788621.tif 000017
【図１７】
0003788621.tif 000018
【図１８】
0003788621.tif 000019
【図１９】
0003788621.tif 000020
【図２０】
0003788621.tif 000021
【図２１】
0003788621.tif 000022
【図２２】
0003788621.tif 000023
【図２３】
0003788621.tif 000024
【図２４】
0003788621.tif 000025
【図２５】
0003788621.tif 000026
【図２６】
0003788621.tif 000027
【図２７】
0003788621.tif 000028
【図２８】
0003788621.tif 000029
【図２９】
0003788621.tif 000030
【図３０】
0003788621.tif 000031
【図３１】
0003788621.tif 000032
【図３２】
0003788621.tif 000033
【図３３】
0003788621.tif 000034
【図３４】
0003788621.tif 000035
【図３５】
0003788621.tif 000036
【図３６】
0003788621.tif 000037
【図３７】
0003788621.tif 000038
【図３８】
0003788621.tif 000039
【図３９】
0003788621.tif 000040
【図４０】
0003788621.tif 000041
【図４１】
0003788621.tif 000042
【図４２】
0003788621.tif 000043
【図４３】
0003788621.tif 000044
【図４４】
0003788621.tif 000045
【図４５】
0003788621.tif 000046
【図４６】
0003788621.tif 000047
【図４７】
0003788621.tif 000048
【図４８】
0003788621.tif 000049
【図４９】
0003788621.tif 000050
【図５０】
0003788621.tif 000051
【図５１】
0003788621.tif 000052
【図５２】
0003788621.tif 000053
【図５３】
0003788621.tif 000054
【図５４】
0003788621.tif 000055
【図５５】
0003788621.tif 000056
【図５６】
0003788621.tif 000057
【図５７】
0003788621.tif 000058
【図５８】
0003788621.tif 000059
【図５９】
0003788621.tif 000060
【図６０】
0003788621.tif 000061
【図６１】
0003788621.tif 000062
【図６２】
0003788621.tif 000063
【図６３】
0003788621.tif 000064
【図６４】
0003788621.tif 000065
【図６５】
0003788621.tif 000066
【図６６】
0003788621.tif 000067
【図６７】
0003788621.tif 000068
【図６８】
0003788621.tif 000069
【図６９】
0003788621.tif 000070
【図７０】
0003788621.tif 000071